(57)【要約】【課題】タッチセンサを備えかつ情報を表示できる表示手段を活用することにより、電子機器または情報処理端末の利便性を高める。【解決手段】電子機器には、二つの液晶パネルが備えられ、一方の液晶パネルの画面１４０１には、ホームページの画面およびポインタ１４００が表示されている。他方の液晶パネルの画面２４０１には、絶対座標モード領域２４１０と相対座標モード領域２４２０が含まれる。相対座標モード領域２４２０は、従来のタッチパッドのように、液晶パネル１４０に表示されるポインタ１４００の表示位置を移動させるための、指やスタイラスなどによるなぞる操作を検出するための領域である。絶対座標モード領域２４１０中のボタン２４１４〜２４１６に対してタッチ操作がなされると、ＣＰＵは、タッチ位置の絶対座標の情報に基づいて、アプリケーションに関する処理を実行する。【選択図】図２３
2010108373.tif 000002
【特許請求の範囲】
【請求項１】
画像を表示する第１の表示手段と、
画像を表示しかつタッチセンサが内蔵された第２の表示手段と、
第１の記憶手段と、
前記第１の記憶手段に記憶されたアプリケーションのプログラムを実行することにより、当該アプリケーションに従った処理の実行結果の出力画面の少なくとも一部を前記第１の表示手段に表示する制御手段とを備え、
前記制御手段は、前記アプリケーションに基づいて定められる前記第２の表示手段の中の第１の領域における絶対的な操作位置である第１の操作位置の情報と、前記アプリケーションに基づいて定められる前記第２の表示手段の中の第２の領域における相対的な操作位置である第２の操作位置の情報とに基づいて、前記アプリケーションのプログラムを実行し、
前記第２の表示手段は、前記タッチセンサの検出出力に基づいて、前記第１および第２の操作位置の情報を前記制御手段に送信する、電子機器。
【請求項２】
前記タッチセンサは、光センサによって構成される、請求項１に記載の電子機器。
【請求項３】
前記制御手段は、前記アプリケーションに基づいて、前記第１の領域に所定の位置に画像を表示させ、前記所定の位置を操作されたことに応じて前記アプリケーションの所定の処理を実行する、請求項１または請求項２に記載の電子機器。
【請求項４】
前記制御手段は、前記第２の表示手段に対し、前記第１の領域および前記第２の領域を指定する情報を送信し、
前記第２の表示手段は、
前記タッチセンサによって検出された操作位置が前記第１の領域または前記第２の領域のいずれに含まれるかを判断し、
前記第１の領域に含まれると判断した場合には、前記タッチセンサの検出出力に基づいて前記第１の操作位置の情報を前記制御手段に送信し、前記第２の領域に含まれると判断した場合には、前記タッチセンサの検出出力に基づいて前記第２の操作位置の情報を前記制御手段に送信する、請求項１〜請求項３のいずれかに記載の電子機器。
【請求項５】
前記制御手段は、前記第２の表示手段に、実行中のアプリケーションを特定するための情報である特定用情報を送信し、
前記第２の表示手段は、
アプリケーションの種類と前記第１の領域および前記第２の領域を定める情報とを関連付けて記憶する第２の記憶手段を含み、
前記特定用情報と前記第２の記憶手段の記憶内容に基づいて、前記タッチセンサによって検出された操作位置が前記第１の領域または前記第２の領域のいずれに含まれるかを判断し、
前記第１の領域に含まれると判断した場合には、前記タッチセンサの検出出力に基づいて前記第１の操作位置の情報を前記制御手段に送信し、前記第２の領域に含まれると判断した場合には、前記タッチセンサの検出出力に基づいて前記第２の操作位置の情報を前記制御手段に送信する、請求項１〜請求項３のいずれかに記載の電子機器。
【請求項６】
画像を表示する第１の表示手段と、
第１の記憶手段と、
前記第１の記憶手段に記憶されたアプリケーションのプログラムを実行することにより、当該アプリケーションに従った処理の実行結果の出力画面の少なくとも一部を前記第１の表示手段に表示する制御手段と、
画像を表示しかつタッチセンサが内蔵された第２の表示手段を備える情報処理端末との間で情報の送受信を行なう通信手段とを備え、
前記制御手段は、前記アプリケーションに基づいて定められる前記第２の表示手段の中の第１の領域における絶対的な操作位置である第１の操作位置、および、前記第２の表示手段の中の第２の領域における相対的な操作位置である第２の操作位置に基づいて前記アプリケーションのプログラムを実行し、
前記通信手段は、前記情報処理端末から、前記タッチセンサの検出出力に基づいて生成された前記第１および第２の操作位置の情報を受信する、電子機器。
【請求項７】
画像を表示する第１の表示手段と、第１の記憶手段と、前記第１の記憶手段に記憶されたアプリケーションのプログラムを実行することにより、当該アプリケーションに従った処理の実行結果の出力画面の少なくとも一部を前記第１の表示手段に表示する制御手段とを含む電子機器と、情報の送受信が可能な情報処理端末であって、
画像を表示しかつタッチセンサが内蔵された第２の表示手段と、
前記電子機器から、前記電子機器において実行されるアプリケーションに基づいて定められる、前記第２の表示手段の中の第１の領域および第２の領域を特定する情報を受信する受信手段と、
前記制御手段によるアプリケーションのプログラムの実行のため、前記タッチセンサの検出出力に基づいて、前記第１の領域における絶対的な操作位置である第１の操作位置の情報、および、前記第２の領域における相対的な操作位置である第２の操作位置の情報を生成する情報生成手段と、
前記第１および第２の操作位置の情報を前記電子機器に送信する送信手段とを備える、情報処理端末。
【請求項８】
画像を表示する第１の表示手段と、画像を表示しかつタッチセンサが内蔵された第２の表示手段とを備える電子機器において実行されるアプリケーションプログラムであって、
前記電子機器に、
前記アプリケーションに従った処理の実行結果の出力画面の少なくとも一部を前記第１の表示手段に表示するステップと、
前記タッチセンサの検出出力に基づいて前記アプリケーションに基づいて定められる前記第２の表示手段の中の第１の領域における絶対的な操作位置である第１の操作位置の情報、および、前記第２の表示手段の中の第２の領域における相対的な操作位置である第２の操作位置の情報を取得するステップと、
前記第１および前記第２の操作位置の情報に基づいて前記アプリケーションのプログラムを実行するステップとを実行させる、アプリケーションプログラム。
【請求項９】
画像を表示する第１の表示手段を備える電子機器において実行されるアプリケーションプログラムであって、
前記電子機器に、
前記アプリケーションに従った処理の実行結果の出力画面の少なくとも一部を前記第１の表示手段に表示するステップと、
画像を表示しかつタッチセンサが内蔵された第２の表示手段を備える情報処理端末から、前記タッチセンサの検出出力に基づいて生成される、前記アプリケーションに基づいて定められる前記第２の表示手段の中の第１の領域における絶対的な操作位置である第１の操作位置の情報、および、前記第２の表示手段の中の第２の領域における相対的な操作位置である第２の操作位置の情報を受信するステップと、
前記第１および前記第２の操作位置の情報に基づいて前記アプリケーションのプログラムを実行するステップとを実行させる、アプリケーションプログラム。
【請求項１０】
画像を表示しかつタッチセンサが内蔵された表示手段を備え、電子機器との間で情報の送受信が可能な情報処理端末の制御プログラムであって、
前記情報処理端末に、
前記電子機器から、前記電子機器で実行されるアプリケーションに基づいて定められる前記表示手段の中の第１の領域と第２の領域を特定する情報を受信するステップと、
前記電子機器におけるアプリケーションのプログラムの実行のため、前記タッチセンサの検出出力に基づいて、前記第１の領域における絶対的な操作位置である第１の操作位置の情報、および、前記第２の領域における相対的な操作位置である第２の操作位置の情報を生成するステップと、
前記第１および第２の操作位置の情報を前記電子機器に送信するステップとを実行させる、制御プログラム。
【発明の詳細な説明】
【技術分野】
【０００１】
本発明は、電子機器および情報処理端末に関し、特に、タッチセンサが内蔵された表示手段を備える電子機器、アプリケーションプログラム、情報処理端末およびその制御プログラムに関する。
【背景技術】
【０００２】
従来から、電子機器において、タッチパッド等の、平板状のタッチセンサを指でなぞることでポインタの操作をするような入力デバイスが備えられていた。また、従来の電子機器では、そのようなデバイスに、情報を表示させ、サブディスプレイとしても使用するものがあった。従来の電子機器では、上記したような入力デバイスは、ドラッグ操作の期間等において操作された位置がどのように変化しているかを表す情報、つまり、相対的な操作位置の情報が、検出され、利用されていた。
【０００３】
なお、従来の電子機器では、上記したような入力デバイスのどの位置が操作されたかを表す情報、つまり、絶対的な操作位置の情報が、検出され、利用するものもあった。
【０００４】
このような絶対的な操作位置の情報を利用するものとしては、たとえば、特許文献１（特開２００４−５１０５号公報）では、情報処理装置において、電源投入時に、まずサブディスプレイでパスワードの入力を要求するメッセージを表示させ、パスワードの照合の完了後にＯＳ（Operating System）が起動されて、メインディスプレイの表示等が行なわれる技術が開示されている。そして、特許文献１では、サブディスプレイに、上記のようなメッセージを表示させるとともに「キャンセルボタン」等のボタンを操作させ、当該キャンセルボタンが表示されている位置を操作されたことが検出されると、当該ボタンに対応した処理が実行される。
【０００５】
また、特許文献２（特開２００４−２３４５０４号公報）では、情報処理装置において、仮想スクリーンから主表示装置に表示させるために切り出す領域の表示を、副表示装置上のタッチ操作された位置に応じて変更する技術が開示されている。
【０００６】
また、特許文献３（特開２００４−５２１２号公報）では、情報処理装置において、メインディスプレイに、サブディスプレイで扱う操作画面を表示させて、ユーザにメインディスプレイの表示を見ながらサブディスプレイを操作させる技術が開示されている。そして、特許文献３では、情報処理装置において、サブディスプレイ上の操作位置に応じた処理が実行される。
【０００７】
また、非特許文献１では、サブディスプレイ上に指などで簡単なスケッチや署名などを書いたり、当該書いた情報をアプリケーションに貼り付けることができる技術が開示されている。サブディスプレイ上に書かれた署名などは、たとえば、サブディスプレイ上の絶対的な操作位置の軌跡が検出されることによって、再現される。
【特許文献１】特開２００４−５１０５号公報
【特許文献２】特開２００４−２３４５０４号公報
【特許文献３】特開２００４−５２１２号公報
【非特許文献１】東芝株式会社、“DynaBook G8 Series”、［online］、［平成２０年１０月２０日検索］、インターネット〈URL：http://dynabook.com/pc/catalog/dynabook/030512g8/index_j.htm〉
【発明の開示】
【発明が解決しようとする課題】
【０００８】
上記したように、従来の電子機器では、電子機器において実行されるアプリケーションの処理結果を主に表示するメインディスプレイの他に、情報を表示するとともにユーザからの入力操作を受付け、その相対的な操作位置または絶対的な操作位置の情報を検出し、上記アプリケーションの処理に当該情報が利用されてきた。
【０００９】
このような電子機器において、特にサブディスプレイを活用して利便性を向上させることが所望されていた。
【００１０】
本発明は係る実情に鑑み考え出されたものであり、その目的は、タッチセンサを備えかつ情報を表示できる表示手段を活用することにより、電子機器または情報処理端末の利便性を高めることである。
【課題を解決するための手段】
【００１１】
本発明のある局面に従った電子機器は、画像を表示する第１の表示手段と、画像を表示しかつタッチセンサが内蔵された第２の表示手段と、第１の記憶手段と、前記第１の記憶手段に記憶されたアプリケーションのプログラムを実行することにより、当該アプリケーションに従った処理の実行結果の出力画面の少なくとも一部を前記第１の表示手段に表示する制御手段とを備え、前記制御手段は、前記アプリケーションに基づいて定められる前記第２の表示手段の中の第１の領域における絶対的な操作位置である第１の操作位置の情報と、前記アプリケーションに基づいて定められる前記第２の表示手段の中の第２の領域における相対的な操作位置である第２の操作位置の情報とに基づいて、前記アプリケーションのプログラムを実行し、前記第２の表示手段は、前記タッチセンサの検出出力に基づいて、前記第１および第２の操作位置の情報を前記制御手段に送信する。
【００１２】
また、本発明の電子機器では、好ましくは、前記タッチセンサは、光センサによって構成される。
【００１３】
また、本発明の電子機器では、好ましくは、前記制御手段は、前記アプリケーションに基づいて、前記第１の領域に所定の位置に画像を表示させ、前記所定の位置を操作されたことに応じて前記アプリケーションの所定の処理を実行する。
【００１４】
また、本発明の電子機器では、好ましくは、前記制御手段は、前記第２の表示手段に対し、前記第１の領域および前記第２の領域を指定する情報を送信し、前記第２の表示手段は、前記タッチセンサによって検出された操作位置が前記第１の領域または前記第２の領域のいずれに含まれるかを判断し、前記第１の領域に含まれると判断した場合には、前記タッチセンサの検出出力に基づいて前記第１の操作位置の情報を前記制御手段に送信し、前記第２の領域に含まれると判断した場合には、前記タッチセンサの検出出力に基づいて前記第２の操作位置の情報を前記制御手段に送信する。
【００１５】
また、本発明の電子機器では、好ましくは、前記制御手段は、前記第２の表示手段に、実行中のアプリケーションを特定するための情報である特定用情報を送信し、前記第２の表示手段は、アプリケーションの種類と前記第１の領域および前記第２の領域を定める情報とを関連付けて記憶する第２の記憶手段を含み、前記特定用情報と前記第２の記憶手段の記憶内容に基づいて、前記タッチセンサによって検出された操作位置が前記第１の領域または前記第２の領域のいずれに含まれるかを判断し、前記第１の領域に含まれると判断した場合には、前記タッチセンサの検出出力に基づいて前記第１の操作位置の情報を前記制御手段に送信し、前記第２の領域に含まれると判断した場合には、前記タッチセンサの検出出力に基づいて前記第２の操作位置の情報を前記制御手段に送信する。
【００１６】
本発明の他の局面に従った電子機器は、画像を表示する第１の表示手段と、第１の記憶手段と、前記第１の記憶手段に記憶されたアプリケーションのプログラムを実行することにより、当該アプリケーションに従った処理の実行結果の出力画面の少なくとも一部を前記第１の表示手段に表示する制御手段と、画像を表示しかつタッチセンサが内蔵された第２の表示手段を備える情報処理端末との間で情報の送受信を行なう通信手段とを備え、前記制御手段は、前記アプリケーションに基づいて定められる前記第２の表示手段の中の第１の領域における絶対的な操作位置である第１の操作位置、および、前記第２の表示手段の中の第２の領域における相対的な操作位置である第２の操作位置に基づいて前記アプリケーションのプログラムを実行し、前記通信手段は、前記情報処理端末から、前記タッチセンサの検出出力に基づいて生成された前記第１および第２の操作位置の情報を受信する。
【００１７】
本発明に従った情報処理端末は、画像を表示する第１の表示手段と、第１の記憶手段と、前記第１の記憶手段に記憶されたアプリケーションのプログラムを実行することにより、当該アプリケーションに従った処理の実行結果の出力画面の少なくとも一部を前記第１の表示手段に表示する制御手段とを含む電子機器と、情報の送受信が可能な情報処理端末であって、画像を表示しかつタッチセンサが内蔵された第２の表示手段と、前記電子機器から、前記電子機器において実行されるアプリケーションに基づいて定められる、前記第２の表示手段の中の第１の領域および第２の領域を特定する情報を受信する受信手段と、前記制御手段によるアプリケーションのプログラムの実行のため、前記タッチセンサの検出出力に基づいて、前記第１の領域における絶対的な操作位置である第１の操作位置の情報、および、前記第２の領域における相対的な操作位置である第２の操作位置の情報を生成する情報生成手段と、前記第１および第２の操作位置の情報を前記電子機器に送信する送信手段とを備える。
【００１８】
本発明のある局面に従ったアプリケーションプログラムは、画像を表示する第１の表示手段と、画像を表示しかつタッチセンサが内蔵された第２の表示手段とを備える電子機器において実行されるアプリケーションプログラムであって、前記電子機器に、前記アプリケーションに従った処理の実行結果の出力画面の少なくとも一部を前記第１の表示手段に表示するステップと、前記タッチセンサの検出出力に基づいて前記アプリケーションに基づいて定められる前記第２の表示手段の中の第１の領域における絶対的な操作位置である第１の操作位置の情報、および、前記第２の表示手段の中の第２の領域における相対的な操作位置である第２の操作位置の情報を取得するステップと、前記第１および前記第２の操作位置の情報に基づいて前記アプリケーションのプログラムを実行するステップとを実行させる。
【００１９】
本発明の他の局面に従ったアプリケーションプログラムは、画像を表示する第１の表示手段を備える電子機器において実行されるアプリケーションプログラムであって、前記電子機器に、前記アプリケーションに従った処理の実行結果の出力画面の少なくとも一部を前記第１の表示手段に表示するステップと、画像を表示しかつタッチセンサが内蔵された第２の表示手段を備える情報処理端末から、前記タッチセンサの検出出力に基づいて生成される、前記アプリケーションに基づいて定められる前記第２の表示手段の中の第１の領域における絶対的な操作位置である第１の操作位置の情報、および、前記第２の表示手段の中の第２の領域における相対的な操作位置である第２の操作位置の情報を受信するステップと、前記第１および前記第２の操作位置の情報に基づいて前記アプリケーションのプログラムを実行するステップとを実行させる。
【００２０】
本発明に従った制御プログラムは、画像を表示しかつタッチセンサが内蔵された表示手段を備え、電子機器との間で情報の送受信が可能な情報処理端末の制御プログラムであって、前記情報処理端末に、前記電子機器から、前記電子機器で実行されるアプリケーションに基づいて定められる前記表示手段の中の第１の領域と第２の領域を特定する情報を受信するステップと、前記電子機器におけるアプリケーションのプログラムの実行のため、前記タッチセンサの検出出力に基づいて、前記第１の領域における絶対的な操作位置である第１の操作位置の情報、および、前記第２の領域における相対的な操作位置である第２の操作位置の情報を生成するステップと、前記第１および第２の操作位置の情報を前記電子機器に送信するステップとを実行させる。
【発明の効果】
【００２１】
本発明によれば、タッチセンサを内蔵された表示手段に、絶対的な操作位置が検出される第１の領域と相対的な操作位置が検出される第２の領域を設けることができ、また、各領域の表示手段内の外郭はアプリケーションごとに変更することが可能となる。
【００２２】
したがって、ユーザは、表示手段において、第１の領域と第２の領域を同時に利用して、情報を入力できる。
【００２３】
また、本発明によれば、単に、従来排他的にしか利用されていなかった第１の領域と第２の領域とを同時に利用できるだけでなく、これらの領域が本体装置においてアプリケーションの種類によってタッチセンサを内蔵された表示手段における第１の領域と第２の領域に関する設定がなされるため、設定ツール等を使用する必要がない。これにより、ユーザは、そのような設定の際の手間をかけることなく、第１の領域および第２の領域を利用して、電子機器にアプリケーションを実行するための情報を入力できる。
【発明を実施するための最良の形態】
【００２４】
本発明に係る電子機器の一実施態様について、図面を参照して説明すると以下のとおりである。
【００２５】
＜電子機器の外観＞
図１は、本実施の形態に係る電子機器１００の外観を示した図である。図１を参照して、電子機器１００は、第１の筐体１００Ａと第２の筐体１００Ｂとを含む。
【００２６】
第１の筐体１００Ａと第２の筐体１００Ｂとは、ヒンジ１００Ｃにより折畳み可能に接続されている。第１の筐体１００Ａは、光センサ内蔵液晶パネル１４０を備える。第２の筐体１００Ｂは、光センサ内蔵液晶パネル２４０を備える。このように、電子機器１００は、光センサ内蔵液晶パネルを２つ備える。
【００２７】
なお、電子機器１００は、ＰＤＡ（Personal Digital Assistant）、ノート型のパーソナルコンピュータ、携帯型電話機、電子辞書などの表示機能を有する携帯型デバイスとして構成される。
【００２８】
＜ハードウェア構成について＞
次に、図２を参照して、電子機器１００の具体的構成の一態様について説明する。図２は、電子機器１００のハードウェア構成を表わすブロック図である。
【００２９】
電子機器１００は、第１ユニット１００１と、第２ユニット１００２とを含む。第２ユニット１００２は、電子機器１００から着脱可能に第１ユニット１００１に接続されている。第１ユニット１００１は、本体装置１０１と、表示装置１０２とを含む。第２ユニット１００２は、表示装置１０３と、本体装置１０４とを含む。
【００３０】
第１の筐体１００Ａは、表示装置１０２を含む。第２の筐体１００Ｂは、本体装置１０１を含む。また、第２の筐体１００Ｂは、第２ユニット１００２を含む。
【００３１】
（第１ユニットについて）
本体装置１０１は、ＣＰＵ（Central Processing Unit）１１０と、ＲＡＭ（Random Access Memory）１７１と、ＲＯＭ（Read-Only Memory）１７２と、メモリカードリーダライタ１７３と、外部通信部１７４と、マイク１７５と、スピーカ１７６と、操作キー１７７と、電源スイッチ１９１と、電源回路１９２と、電源検出部１９３と、ＵＳＢ（Universal Serial Bus）コネクタ１９４と、アンテナ１９５と、ＬＡＮ（Local Area Network）コネクタ１９６とを含む。各構成要素（１１０，１７１〜１７７，１９３）は、相互にデータバスＤＢ１によって接続されている。メモリカードリーダライタ１７３には、メモリカード１７３１が装着される。
【００３２】
ＣＰＵ１１０は、プログラムを実行する。操作キー１７７は、電子機器１００の使用者による指示の入力を受ける。ＲＡＭ１７１は、ＣＰＵ１１０によるプログラムの実行により生成されたデータ、または操作キー１７７を介して入力されたデータを揮発的に格納する。ＲＯＭ１７２は、データを不揮発的に格納する。また、ＲＯＭ１７２は、ＥＰＲＯＭ（Erasable Programmable Read-Only Memory）やフラッシュメモリなどのデータの書込みおよび消去が可能なＲＯＭである。
【００３３】
外部通信部１７４は、他の電子機器と通信を行なう。具体的には、外部通信部１７４は、ＵＳＢコネクタ１９４を介して、たとえば第２ユニット１００２と通信を行なう。また、外部通信部１７４は、アンテナ１９５を介して、たとえば第２ユニット１００２と無線通信を行なう。さらに、外部通信部１７４は、ＬＡＮコネクタ１９６を介して、他の電子機器との間で有線通信を行なう。
【００３４】
なお、本体装置１０１は、Ｂｌｕｅｔｏｏｔｈ（登録商標）以外の無線通信により、他の電子機器と通信を行なってもよい。たとえば、外部通信部１７４は、図示しない無線ＬＡＮアンテナを介して、ＬＡＮに接続された他の電子機器との間で無線通信を行なってもよい。あるいは、図示しない赤外線ポートを介して、他の電子機器との間で無線通信を行なってもよい。
【００３５】
電源スイッチ１９１は、電子機器１００を起動させるためのスイッチである。
電源スイッチ１９１がオンすると、電源回路１９２は、電源検出部１９３を介して、データバスＤＢ１に接続されている各構成要素と表示装置１０２とに電力を供給する。また、電源スイッチ１９１がオンすると、電源回路１９２は、電源検出部１９３を介することなく、外部通信部１７４に電力を供給する。
【００３６】
電源検出部１９３は、電源回路１９２からの出力を検出する。また、電源検出部１９３は、当該検出した出力に関する情報（たとえば、電圧値や電流値）を、ＣＰＵ１１０に送る。
【００３７】
ＵＳＢコネクタ１９４は、第１ユニット１００１を第２ユニット１００２に接続するために用いられる。なお、本体装置１０１は、ＵＳＢコネクタ１９４に加えて他のＵＳＢコネクタを備えていてもよい。
【００３８】
第１ユニット１００１は、ＵＳＢコネクタ１９４を介して、第２ユニット１００２にデータを送信する。また、第１ユニット１００１は、ＵＳＢコネクタ１９４を介して、第２ユニット１００２からデータを受信する。さらに、第１ユニット１００１は、ＵＳＢコネクタ１９４を介して、第２ユニット１００２に電力を供給する。
【００３９】
アンテナ１９５は、第１ユニット１００１と、他の通信装置（たとえば第２ユニット１００２）との間における、Ｂｌｕｅｔｏｏｔｈ（登録商標）の規格に沿った通信に用いられる。ＬＡＮコネクタ１９６は、電子機器１００をＬＡＮに接続するために用いられる。
【００４０】
表示装置１０２は、ドライバ１３０と、光センサ内蔵液晶パネル１４０（以下、液晶パネル１４０と称する）と、内部ＩＦ１７８と、バックライト１７９と、画像処理エンジン１８０とを含む。
【００４１】
ドライバ１３０は、液晶パネル１４０およびバックライト１７９を駆動するための駆動回路である。ドライバ１３０に含まれる各種の駆動回路については、後述する。
【００４２】
液晶パネル１４０は、液晶ディスプレイの機能と光センサの機能とを備えたデバイスである。つまり、液晶パネル１４０は、液晶を用いた画像の表示と、光センサを用いたセンシングとを行うことができる。液晶パネル１４０の詳細については、後述する。
【００４３】
内部ＩＦ（Interface）１７８は、本体装置１０１と表示装置１０２との間で、データの遣り取りを仲介する。
【００４４】
バックライト１７９は、液晶パネル１４０の裏面に配置された光源である。バックライト１７９は、当該裏面に対して均一な光を照射する。
【００４５】
画像処理エンジン１８０は、ドライバ１３０を介して液晶パネル１４０の動作を制御する。ここで、当該制御は、内部ＩＦ１７８を介して本体装置１０１から送られてくる各種データに基づいて行われる。なお、当該各種データは、後述するコマンドを含む。また、画像処理エンジン１８０は、液晶パネル１４０から出力されるデータを処理し、処理したデータを内部ＩＦ１７８を介して本体装置１０１に送る。さらに、画像処理エンジン１８０は、ドライバ制御部１８１と、タイマ１８２と、信号処理部１８３とを含む。
【００４６】
ドライバ制御部１８１は、ドライバ１３０に対して制御信号を送ることによりドライバ１３０の動作を制御する。また、ドライバ制御部１８１は、本体装置１０１から送られてくるコマンドを解析する。そして、ドライバ制御部１８１は、当該解析の結果に基づいた制御信号をドライバ１３０に送る。ドライバ１３０の動作の詳細については、後述する。
【００４７】
タイマ１８２は、時刻情報を生成し、信号処理部１８３に対して時刻情報を送る。
信号処理部１８３は、上記光センサから出力されるデータを受け取る。ここで、上記光センサから出力されるデータはアナログデータであるため、信号処理部１８３は、まず当該アナログデータをデジタルデータに変換する。さらに、信号処理部１８３は、当該デジタルデータに対して、本体装置１０１から送られてくるコマンドの内容に応じたデータ処理を行う。そして、信号処理部１８３は、上記データ処理を行った後のデータと、タイマ１８２から取得した時刻情報とを含んだデータ（以下、応答データと称する）を本体装置１０１に送る。また、信号処理部１８３は、後述するスキャンデータを連続して複数格納できるＲＡＭ（図示せず）を備えている。
【００４８】
上記コマンドは、上記光センサによりセンシングを指示するセンシングコマンドを含む。当該センシングコマンドの詳細および上記応答データの詳細については、後述する（図７，図８，および図１４）。
【００４９】
なお、タイマ１８２は、必ずしも画像処理エンジン１８０に備えられている必要はない。たとえば、タイマ１８２は、表示装置１０２内における、画像処理エンジン１８０の外部に備えられていてもよい。あるいは、タイマ１８２は、本体装置１０１に備えられていてもよい。また、マイク１７５およびスピーカ１７６は、電子機器１００が常に備える構成ではなく、電子機器１００の実施例によっては、マイク１７５およびスピーカ１７６のいずれかあるいは両方を有さない構成であってもよい。
【００５０】
ここで、表示装置１０２は、システム液晶を含んでいる。なお、システム液晶とは、液晶パネル１４０の周辺機器を当該液晶パネル１４０のガラス基板上に一体形成することにより得られるデバイスである。本実施の形態では、ドライバ１３０（バックライト１７９を駆動する回路を除く）と、内部ＩＦ１７８と、画像処理エンジン１８０とが、液晶パネル１４０のガラス基板上に一体形成されている。なお、表示装置１０２が、必ずしもシステム液晶を用いて構成されている必要はなく、ドライバ１３０（バックライト１７９を駆動する回路を除く）と、内部ＩＦ１７８と、画像処理エンジン１８０とが、上記ガラス基板以外の基板に構成されていてもよい。
【００５１】
（第２ユニットについて）
第２ユニット１００２は、第１ユニット１００１から電力の供給を受ける。具体的には、後述するＵＳＢコネクタ２９４と第１ユニット１００１のＵＳＢコネクタ１９４とを接続することにより、第２ユニット１００２は、第１ユニット１００１の電源回路１９２から電力の供給を受ける。
【００５２】
本体装置１０４は、ＣＰＵ２１０と、ＲＡＭ２７１と、ＲＯＭ２７２と、外部通信部２７４と、電源検出部２９３と、ＵＳＢコネクタ２９４と、アンテナ２９５と、信号強度検出部２９７とを含む。各構成要素（２１０，２７１，２７２，２７４，２９３）は、相互にデータバスＤＢ２によって接続されている。
【００５３】
ＣＰＵ２１０は、プログラムを実行する。ＲＡＭ２７１は、ＣＰＵ２１０によるプログラムの実行により生成されたデータを揮発的に格納する。ＲＯＭ２７２は、データを不揮発的に格納する。また、ＲＯＭ２７２は、ＥＰＲＯＭ（Erasable Programmable Read-Only Memory）やフラッシュメモリなどのデータの書込みおよび消去が可能なＲＯＭである。
【００５４】
外部通信部２７４は、他の電子機器との間で通信を行なう。具体的には、外部通信部２７４は、ＵＳＢコネクタ２９４を介して、たとえば第１ユニット１００１と通信を行なう。また、外部通信部２７４は、アンテナ２９５を介して、たとえば第１ユニット１００１と通信を行なう。
【００５５】
なお、本体装置１０４は、Ｂｌｕｅｔｏｏｔｈ（登録商標）以外の無線通信により、他の電子機器（たとえば、第１ユニット１００１）と通信を行なってもよい。たとえば、外部通信部２７４は、図示しない赤外線ポートを介して、他の電子機器との間で無線通信を行なってもよい。
【００５６】
信号強度検出部２９７は、アンテナ２９５を介して受信した信号についての強度を検出する。そして、信号強度検出部２９７は、検出した強度を外部通信部２７４に送る。
【００５７】
ＵＳＢコネクタ２９４は、第２ユニット１００２を第１ユニット１００１に接続するために用いられる。
【００５８】
第２ユニット１００２は、ＵＳＢコネクタ２９４を介して、第１ユニット１００１にデータを送信する。また、第２ユニット１００２は、ＵＳＢコネクタ２９４を介して、第１ユニット１００１からデータを受信する。さらに、第２ユニット１００２は、上述したように、ＵＳＢコネクタ２９４を介して、第１ユニット１００１から電力の供給を受ける。なお、第２ユニット１００２は、第１ユニット１００１から供給された電力を、図示しないバッテリに蓄電する。
【００５９】
アンテナ２９５は、第２ユニット１００２と、たとえば第１ユニット１００１との間における、Ｂｌｕｅｔｏｏｔｈ（登録商標）の規格に沿った通信に用いられる。
【００６０】
電源検出部２９３は、ＵＳＢコネクタ２９４を介して給電された電力を検出する。また、電源検出部２９３は、当該検出した電力についての情報を、ＣＰＵ２１０に送る。
【００６１】
また、本体装置１０４は、赤外線通信を行なう機能を備えていてもよい。
表示装置１０３は、ドライバ２３０と、光センサ内蔵液晶パネル２４０（以下、「液晶パネル２４０」と称する）と、内部ＩＦ２７８と、バックライト２７９と、画像処理エンジン２８０とを含む。画像処理エンジン２８０は、ドライバ制御部２８１と、タイマ２８２と、信号処理部２８３とを含む。
【００６２】
表示装置１０３は、表示装置１０２と同様な構成を有する。つまり、ドライバ２３０、液晶パネル２４０、内部ＩＦ２７８、バックライト２７９、および画像処理エンジン２８０は、表示装置１０２における、ドライバ１３０、液晶パネル１４０、内部ＩＦ１７８、バックライト１７９、画像処理エンジン１８０と同じ構成をそれぞれ有する。ドライバ制御部２８１、タイマ２８２、および信号処理部２８３は、表示装置１０２における、ドライバ制御部１８１、タイマ１８２、信号処理部１８３と同じ構成をそれぞれ有する。したがって、表示装置１０３に含まれる各機能ブロックについての説明は、繰り返さない。
【００６３】
ところで、電子機器１００における処理は、各ハードウェアおよびＣＰＵ１１０により実行されるソフトウェアによって実現される。このようなソフトウェアは、ＲＯＭ１７２に予め記憶されている場合がある。また、ソフトウェアは、メモリカード１７３１その他の記憶媒体に格納されて、プログラム製品として流通している場合もある。あるいは、ソフトウェアは、いわゆるインターネットに接続されている情報提供事業者によってダウンロード可能なプログラム製品として提供される場合もある。このようなソフトウェアは、メモリカードリーダライタ１７３その他の読取装置によりその記憶媒体から読み取られて、あるいは、外部通信部１７４または通信ＩＦ（図示せず）を介してダウンロードされた後、ＲＯＭ１７２に一旦格納される。そのソフトウェアは、ＣＰＵ１１０によってＲＯＭ１７２から読み出され、ＲＡＭ１７１に実行可能なプログラムの形式で格納される。ＣＰＵ１１０は、そのプログラムを実行する。
【００６４】
図２に示される電子機器１００の本体装置１０１を構成する各構成要素は、一般的なものである。したがって、本発明の本質的な部分は、ＲＡＭ１７１、ＲＯＭ１７２、メモリカード１７３１その他の記憶媒体に格納されたソフトウェア、あるいはネットワークを介してダウンロード可能なソフトウェアであるともいえる。なお、電子機器１００の本体装置１０１のハードウェアの動作は周知であるので、詳細な説明は繰り返さない。
【００６５】
なお、記憶媒体としては、メモリカードに限られず、ＣＤ−ＲＯＭ、ＦＤ（Flexible  Disk）、ハードディスク、磁気テープ、カセットテープ、光ディスク（ＭＯ（Magnetic Optical Disc）／ＭＤ（Mini Disc）／ＤＶＤ（Digital Versatile Disc））、ＩＣ（Integrated Circuit）カード（メモリカードを除く）、光カード、マスクＲＯＭ、ＥＰＲＯＭ、ＥＥＰＲＯＭ（Electronically Erasable Programmable Read-Only Memory）、フラッシュＲＯＭなどの半導体メモリ等の固定的にプログラムを格納する媒体でもよい。
【００６６】
ここでいうプログラムとは、ＣＰＵにより直接実行可能なプログラムだけでなく、ソースプログラム形式のプログラム、圧縮処理されたプログラム、暗号化されたプログラム等を含む。
【００６７】
＜光センサ内蔵液晶パネルの構成および駆動について＞
次に、液晶パネル１４０の構成と、当該液晶パネル１４０の周辺回路の構成とについて説明する。図３は、液晶パネル１４０の構成と、当該液晶パネル１４０の周辺回路とを示した図である。
【００６８】
図３を参照して、液晶パネル１４０は、画素回路１４１と、光センサ回路１４４と、走査信号線Ｇｉと、データ信号線ＳＲｊと、データ信号線ＳＧｊと、データ信号線ＳＢｊと、センサ信号線ＳＳｊと、センサ信号線ＳＤｊと、読出信号線ＲＷｉと、リセット信号線ＲＳｉとを含む。なお、ｉは、１≦ｉ≦ｍを満たす自然数であり、ｊは１≦ｊ≦ｎを満たす自然数である。
【００６９】
また、図２に示した表示装置１０２のドライバ１３０は、液晶パネル１４０の周辺回路として、走査信号線駆動回路１３１と、データ信号線駆動回路１３２と、光センサ駆動回路１３３と、スイッチ１３４と、アンプ１３５とを含む。
【００７０】
走査信号線駆動回路１３１は、図２に示すドライバ制御部１８１から制御信号ＴＣ１を受ける。そして、走査信号線駆動回路１３１は、制御信号ＴＣ１に基づき、各走査信号線（Ｇ１〜Ｇｍ）に対して、走査信号線Ｇ１から順に予め定められた電圧を印加する。より詳しくは、走査信号線駆動回路１３１は、単位時間毎に走査信号線（Ｇ１〜Ｇｍ）の中から１つの走査信号線を順次選択し、当該選択した走査信号線に対して後述するＴＦＴ（Thin Film Transistor）１４２のゲートをターンオンできるだけの電圧（以下、ハイレベル電圧）を印加する。なお、選択されていない走査信号線に対しては、ハイレベル電圧を印加することなく、ローレベル電圧を印加したままとする。
【００７１】
データ信号線駆動回路１３２は、図２に示すドライバ制御部１８１から画像データ（ＤＲ，ＤＧ，ＤＢ）を受ける。そして、データ信号線駆動回路１３２は、３ｎ個のデータ信号線（ＳＲ１〜ＳＲｎ，ＳＧ１〜ＳＧｎ，ＳＢ１〜ＳＢｎ）に対して、上記単位時間毎に、１行分の画像データに対応する電圧を順次印加する。
【００７２】
なお、ここでは、いわゆる線順次方式と呼ばれる駆動方式を用いて説明したが、駆動方式はこれに限定されるものではない。
【００７３】
画素回路１４１は、１つの画素の輝度（透過率）を設定するための回路である。また、画素回路１４１は、マトリクス状にｍ×ｎ個配されている。より詳しくは、画素回路１４１は、図３の縦方向にｍ個、横方向にｎ個配されている。
【００７４】
画素回路１４１は、Ｒサブピクセル回路１４１ｒと、Ｇサブピクセル回路１４１ｇと、Ｂサブピクセル回路１４１ｂとからなる。これら３つの回路（１４１ｒ，１４１ｇ，１４１ｂ）は、それぞれ、ＴＦＴ１４２と、画素電極と対向電極とからなる１組の電極対１４３と、図示しないコンデンサとを含む。
【００７５】
なお、ｎ型のトランジスタとｐ型のトランジスタとを作れるＣＭＯＳ（Complementary Metal Oxide Semiconductor）を実現できること、キャリア（電子または正孔）の移動速度がアモルファスシリコン薄膜トランジスタ（a-Si TFT）に比べて数百倍早いことなどから、表示装置１０２では、ＴＦＴ１４２として多結晶シリコン薄膜トランジスタ(p-Si TFT)が用いられる。なお、ＴＦＴ１４２は、ｎ型チャネルの電界効果トランジスタであるとして説明する。ただし、ＴＦＴ１４２がｐ型チャネルの電界効果トランジスタであってもよい。
【００７６】
Ｒサブピクセル回路１４１ｒ内のＴＦＴ１４２のソースはデータ信号線ＳＲｊに接続されている。また、当該ＴＦＴ１４２のゲートは走査信号線Ｇｉに接続されている。さらに、当該ＴＦＴ１４２のドレインは、電極対１４３の画素電極に接続される。そして、画素電極と対向電極との間には、液晶が配される。なお、Ｇサブピクセル回路１４１ｇおよびＢサブピクセル回路１４１ｂについても、各ＴＦＴ１４２のソースが接続されるデータ信号線が異なる以外は、Ｒサブピクセル回路１４１ｒと同じ構成である。このため、これら２つの回路（１４１ｇ，１４１ｂ）についての説明は、繰り返さない。
【００７７】
ここで、画素回路１４１における輝度の設定について説明する。まず、走査信号線Ｇｉに上記ハイレベル電圧を印加する。当該ハイレベル電圧の印加により、ＴＦＴ１４２のゲートがターンオンする。このようにＴＦＴ１４２のゲートがターンオンした状態で、各データ信号線（ＳＲｊ，ＳＧｊ，ＳＢｊ）に対して、それぞれ指定された電圧（１画素分の画像データに対応する電圧）を印加する。これにより、当該指定された電圧に基づいた電圧が画素電極に印加される。その結果、画素電極と対向電極との間に電位差が生じる。この電位差に基づいて、液晶が応答し、画素の輝度は予め定められた輝度に設定される。なお、当該電位差は、上記図示しないコンデンサ（補助容量）によって、次のフレーム期間において走査信号線Ｇｉが選択されるまで保持される。
【００７８】
光センサ駆動回路１３３は、図２に示すドライバ制御部１８１から制御信号ＴＣ２を受ける。
【００７９】
そして、光センサ駆動回路１３３は、制御信号ＴＣ２に基づき、単位時間毎にリセット信号線（ＲＳ１〜ＲＳｍ）の中から１つの信号線を順次選択し、当該選択した信号線に対して、予め定められたタイミングで通常よりもハイレベルな電圧ＶＤＤＲを印加する。なお、選択されていないリセット信号線に対しては、選択されたリセット信号線に印加した電圧よりも低い電圧ＶＳＳＲを印加したままとする。たとえば、電圧ＶＤＤＲを０Ｖに、電圧ＶＳＳＲを−５Ｖに設定すればよい。
【００８０】
また、光センサ駆動回路１３３は、制御信号ＴＣ２に基づき、単位時間毎に読出信号線（ＲＷ１〜ＲＷｍ）の中から１つの信号線を順次選択し、当該選択した信号線に対して、予め定められたタイミングで通常よりもハイレベルな電圧ＶＤＤを印加する。なお、選択されていない読出信号線に対しては、上記電圧ＶＳＳＲを印加したままとする。たとえば、ＶＤＤの値を８Ｖに設定すればよい。
【００８１】
なお、電圧ＶＤＤＲを印加するタイミング、および電圧ＶＤＤを印加するタイミングについては、後述する。
【００８２】
光センサ回路１４４は、フォトダイオード１４５と、コンデンサ１４６と、ＴＦＴ１４７とを含む。なお、以下では、ＴＦＴ１４７がｎ型チャネルの電界効果トランジスタであるとして説明する。ただし、ＴＦＴ１４７がｐ型チャネルの電界効果トランジスタであってもよい。
【００８３】
フォトダイオード１４５のアノードは、リセット信号線ＲＳｉに接続されている。一方、フォトダイオード１４５のカソードは、コンデンサ１４６の一方の電極に接続されている。また、コンデンサ１４６の他方の電極は、読出信号線ＲＷｉに接続されている。なお、以下では、フォトダイオード１４５とコンデンサ１４６との接続点をノードＮと称する。
【００８４】
ＴＦＴ１４７のゲートは、ノードＮに接続されている。また、ＴＦＴ１４７のドレインは、センサ信号線ＳＤｊに接続されている。さらに、ＴＦＴ１４７のソースは、センサ信号線ＳＳｊに接続されている。光センサ回路１４４を用いたセンシングの詳細については、後述する。
【００８５】
スイッチ１３４は、センサ信号線（ＳＤ１〜ＳＤｎ）に対して、予め定められた電圧を印加するか否かを切り換えるために設けられたスイッチである。スイッチ１３４の切り換え動作は、光センサ駆動回路１３３により行われる。なお、スイッチ１３４が導通状態となった場合にセンサ信号線（ＳＤ１〜ＳＤｎ）に印加される電圧については、後述する。
【００８６】
アンプ１３５は、各センサ信号線（ＳＳ１〜ＳＳｎ）から出力された電圧を増幅する。なお、増幅された電圧は、図２に示した信号処理部１８３に送られる。
【００８７】
なお、画素回路１４１を用いて画像を液晶パネル１４０に表示させるタイミングと、光センサ回路１４４を用いてセンシングするタイミングとについては、画像処理エンジン１８０が制御する。
【００８８】
図４は、液晶パネル１４０とバックライト１７９との断面図である。図４を参照して、液晶パネル１４０は、アクティブマトリクス基板１５１Ａと、対向基板１５１Ｂと、液晶層１５２とを含む。対向基板１５１Ｂは、アクティブマトリクス基板１５１Ａに対向して配されている。液晶層１５２は、アクティブマトリクス基板１５１Ａと対向基板１５１Ｂとに挟まれている。バックライト１７９は、アクティブマトリクス基板１５１Ａに関し液晶層１５２と反対側に配されている。
【００８９】
アクティブマトリクス基板１５１Ａは、偏光フィルタ１６１と、ガラス基板１６２と、電極対１４３を構成する画素電極１４３ａと、フォトダイオード１４５と、データ信号線１５７と、配向膜１６４とを含む。さらに、図４には示していないが、アクティブマトリクス基板１５１Ａは、図３に示した、コンデンサ１４６と、ＴＦＴ１４７と、ＴＦＴ１４２と、走査信号線Ｇｉとを含む。
【００９０】
また、アクティブマトリクス基板１５１Ａにおいては、バックライト１７９側から、偏光フィルタ１６１、ガラス基板１６２、画素電極１４３ａ、および配向膜１６４が、この順に配されている。フォトダイオード１４５とデータ信号線１５７とは、ガラス基板１６２の液晶層１５２側に形成されている。
【００９１】
対向基板１５１Ｂは、偏光フィルタ１６１と、ガラス基板１６２と、遮光膜１６３と、カラーフィルタ（１５３ｒ，１５３ｇ，１５３ｂ）と、電極対１４３を構成する対向電極１４３ｂと、配向膜１６４とを含む。
【００９２】
また、対向基板１５１Ｂにおいては、液晶層１５２側から、配向膜１６４、対向電極１４３ｂ、カラーフィルタ（１５３ｒ，１５３ｇ，１５３ｂ）、ガラス基板１６２、および偏光フィルタ１６１が、この順に配されている。遮光膜１６３は、カラーフィルタ（１５３ｒ，１５３ｇ，１５３ｂ）と同一の層に形成されている。
【００９３】
カラーフィルタ１５３ｒは、赤色の波長の光を透過させるフィルタである。カラーフィルタ１５３ｇは、緑色の波長の光を透過させるフィルタである。カラーフィルタ１５３ｂは、青色の波長の光を透過させるフィルタである。ここで、フォトダイオード１４５は、カラーフィルタ１５３ｂに対向する位置に配されている。
【００９４】
液晶パネル１４０は、外光やバックライト１７９などの光源により発せられた光を遮ったり又は当該光を透過させたりすることによって、画像の表示をする。具体的には、液晶パネル１４０は、画素電極１４３ａと対向電極１４３ｂとの間に電圧を印加することにより液晶層１５２の液晶分子の向きを変化させ、上記光を遮ったり、あるいは透過させる。ただし、液晶だけでは光を完全に遮ることができないため、特定の偏光方向の光のみを透過させる偏光フィルタ１６１を配置している。
【００９５】
なお、フォトダイオード１４５の位置は、上記の位置に限定されるものではなく、カラーフィルタ１５３ｒに対向する位置やカラーフィルタ１５３ｇに対向する位置に設けることも可能である。
【００９６】
ここで、光センサ回路１４４の動作について説明する。図５は、光センサ回路１４４を動作させる際のタイミングチャートを示した図である。図５において、電圧ＶＩＮＴは、光センサ回路１４４内のノードＮにおける電位を示している。また、電圧ＶＰＩＸは、図３に示したセンサ信号線ＳＳｊからの出力電圧であって、アンプ１３５によって増幅される前の電圧を示している。
【００９７】
以下では、光センサ回路１４４をリセットするためのリセット期間と、光センサ回路１４４を用いて光をセンシングするためのセンシング期間と、センシングした結果を読み出す読出期間とに分けて説明する。
【００９８】
まず、リセット期間について説明する。リセット期間においては、リセット信号線ＲＳｉに印加する電圧を、ローレベル（電圧ＶＳＳＲ）からハイレベル（電圧ＶＤＤＲ）へと瞬間的に切り換える。一方、読出信号線ＲＷｉに印加する電圧は、ローレベル（電圧ＶＳＳＲ）のままとする。このように、リセット信号線ＲＳｉに上記ハイレベルの電圧を印加することにより、フォトダイオード１４５の順方向（アノード側からカソード側）に電流が流れ始める。その結果、ノードＮの電位である電圧ＶＩＮＴは、以下の式（１）で示す値となる。なお、式（１）では、フォトダイオード１４５における順方向の電圧降下量をＶｆとしている。
【００９９】
ＶＩＮＴ＝ＶＳＳＲ＋｜ＶＤＤＲ−ＶＳＳＲ｜−Ｖｆ  …  （１）
それゆえ、ノードＮの電位は、図５に示すとおり、電圧ＶＤＤＲよりもＶｆだけ小さな値となる。
【０１００】
ここで、電圧ＶＩＮＴは、ＴＦＴ１４７のゲートをターンオンさせる閾値以下であるため、センサ信号線ＳＳｊからの出力はない。このため、電圧ＶＰＩＸは変化しない。また、コンデンサ１４６の電極間には、上記電圧ＶＩＮＴ分の差が生じる。このため、コンデンサ１４６には、当該差に応じた電荷が蓄積される。
【０１０１】
次に、センシング期間について説明する。リセット期間に続くセンシング期間においては、リセット信号線ＲＳｉに印加する電圧は、ハイレベル（電圧ＶＤＤＲ）からローレベル（電圧ＶＳＳＲ）へと瞬間的に切り換わる。一方、読出信号線ＲＷｉに印加する電圧は、ローレベル（電圧ＶＳＳＲ）のままとする。
【０１０２】
このように、リセット信号線ＲＳｉに印加する電圧をローレベルに変化させることにより、ノードＮの電位は、リセット信号線ＲＳｉの電圧および読出信号線ＲＷｉの電圧よりも高くなる。このため、フォトダイオード１４５においては、カソード側の電圧がアノード側の電圧よりも高くなる。つまり、フォトダイオード１４５は、逆バイアスの状態となる。このような逆バイアスの状態において、光源からの光をフォトダイオード１４５が受光すると、フォトダイオード１４５のカソード側からアノード側へと電流が流れ始める。その結果、図５に示すとおり、ノードＮの電位（つまり、電圧ＶＩＮＴ）は時間の経過とともに低くなる。
【０１０３】
なお、このように電圧ＶＩＮＴが低下し続けるため、ＴＦＴ１４７のゲートはターンオンした状態にはならない。それゆえ、センサ信号線ＳＳｊからの出力はない。このため、電圧ＶＰＩＸは変化しない。
【０１０４】
次に、読出期間について説明する。センシング期間に続く読出期間においては、リセット信号線ＲＳｉに印加する電圧をローレベル（電圧ＶＳＳＲ）のままとする。一方、読出信号線ＲＷｉに印加する電圧は、ローレベル（電圧ＶＳＳＲ）からハイレベル（電圧ＶＤＤ）へと瞬間的に切り換わる。ここで、電圧ＶＤＤは、電圧ＶＤＤＲよりも高い値である。
【０１０５】
このように、読出信号線ＲＷｉにハイレベルの電圧を瞬間的に印加することにより、図５に示すとおり、コンデンサ１４６を介してノードＮの電位が引き上げられる。なお、ノードＮの電位の上昇幅は、読出信号線ＲＷｉに印加する電圧に応じた値となる。ここで、ノードＮの電位（つまり、電圧ＶＩＮＴ）が、ＴＦＴ１４７のゲートをターンオンさせる閾値以上まで引き上げられるため、ＴＦＴ１４７のゲートがターンオンする。
【０１０６】
この際、ＴＦＴ１４７のドレイン側に接続されたセンサ信号線ＳＤｊ（図３参照）に予め一定電圧を印加しておけば、ＴＦＴ１４７のソース側に接続されたセンサ信号線ＳＳｊからは、図５のＶＰＩＸのグラフに示すとおり、ノードＮの電位に応じた電圧が出力される。
【０１０７】
ここで、フォトダイオード１４５が受光する光の量（以下、受光量と称する）が少ないと、図５のＶＩＮＴのグラフに示す直線の傾きが緩やかになる。その結果、電圧ＶＰＩＸは、受光量が多い場合に比べて高くなる。このように、光センサ回路１４４は、フォトダイオード１４５の受光量に応じて、センサ信号線ＳＳｊに出力する電圧の値を変化させる。
【０１０８】
ところで、上記においては、ｍ×ｎ個存在する光センサ回路のうち、１つの光センサ回路１４４に着目して、その動作を説明した。以下では、液晶パネル１４０における各光センサ回路の動作について説明する。
【０１０９】
まず、光センサ駆動回路１３３は、ｎ個のセンサ信号線（ＳＤ１〜ＳＤｎ）の全てに対して、予め定められた電圧を印加する。次に、光センサ駆動回路１３３は、リセット信号線ＲＳ１に対して、通常よりもハイレベルな電圧ＶＤＤＲを印加する。なお、他のリセット信号線（ＲＳ２〜ＲＳｍ）および読出信号線（ＲＷ１〜ＲＷｍ）については、ローレベルの電圧を印加したままの状態とする。これにより、図３における１行目のｎ個の光センサ回路が、上述したリセット期間に入る。その後、１行目のｎ個の光センサ回路は、センシング期間に入る。さらに、その後、１行目のｎ個の光センサ回路は、読出期間に入る。
【０１１０】
なお、ｎ個のセンサ信号線（ＳＤ１〜ＳＤｎ）の全てに対して予め定められた電圧を印加するタイミングは、上記のタイミングに限定されず、少なくとも読出期間前に印加されるタイミングであればよい。
【０１１１】
１行目のｎ個の光センサ回路の読出期間が終了すると、光センサ駆動回路１３３は、リセット信号線ＲＳ２に対して、通常よりもハイレベルな電圧ＶＤＤＲを印加する。つまり、２行目のｎ個の光センサ回路のリセット期間に入る。リセット期間が終了すると、２行目のｎ個の光センサ回路は、センシング期間に入り、その後は、読出期間に入る。
【０１１２】
以降は、上述した処理が、順に、３行目のｎ個の光センサ回路、４行目のｎ個の光センサ回路、…ｍ行目のｎ個の光センサ回路に対して行われる。その結果、センサ信号線（ＳＳ１〜ＳＳｎ）からは、１行目のセンシング結果、２行目のセンシング結果、…、ｍ行目のセンシング結果が、この順に出力される。
【０１１３】
なお、表示装置１０２においては、上記のように行毎にセンシングが行われるとともに、行毎にセンシング結果が液晶パネル１４０から出力される。このため、以下では、液晶パネル１４０から出力される１行目からｍ行目までのｍ行分の電圧に関するデータに対して、信号処理部１８３が上述したデータ処理を行った後のデータを、「スキャンデータ」と称する。つまり、スキャンデータとは、スキャン対象物（たとえば、ユーザの指）をスキャンすることにより得られる画像データを指す。また、当該スキャンデータに基づいて表示された画像を、「スキャン画像」と称する。さらに、以下では、センシングを「スキャン」と称する。
【０１１４】
また、上記においては、ｍ×ｎ個の光センサ回路全てを用いてスキャンを行う構成を例に挙げたが、これに限定されるものではない。予め選択された光センサ回路を用いて、液晶パネル１４０の表面の一部の領域に関してスキャンを行うことも構成としてもよい。
【０１１５】
以下では、電子機器１００が、両構成のいずれの構成をも採れるものとする。さらに、当該構成間の切り換えは、操作キー１７７を介した入力などに基づく本体装置１０１から送られてくるコマンドにより行われるものとする。なお、液晶パネル１４０の表面の一部の領域に関してスキャンを行う場合、画像処理エンジン１８０が、スキャン対象領域の設定を行う。なお、当該領域の設定を、操作キー１７７を介してユーザが指定できる構成としてもよい。
【０１１６】
このように、液晶パネル１４０の表面の一部の領域に関してスキャンを行う場合には、画像の表示に関し、以下のような利用の態様がある。１つ目は、上記一部の領域（以下、スキャン領域と称する）以外の表面の領域において、画像を表示させる態様である。２つ目は、上記スキャン領域以外の表面の領域において、画像を表示させない態様である。いずれの態様とするかは、本体装置１０１から画像処理エンジン１８０に送られてくるコマンドに基づく。
【０１１７】
図６は、液晶パネル１４０とバックライト１７９との断面図であって、スキャンの際にフォトダイオード１４５がバックライト１７９からの光を受光する構成を示した図である。
【０１１８】
図６を参照して、ユーザの指９００が液晶パネル１４０の表面に接触している場合、バックライト１７９から発せられた光の一部は、当該接触している領域ではユーザの指９００（略平面）にて反射される。そして、フォトダイオード１４５は、当該反射された光を受光する。
【０１１９】
また、指９００が接触していない領域においても、バックライト１７９から発せられた光の一部は、ユーザの指９００にて反射される。この場合においても、フォトダイオード１４５は、当該反射された光を受光する。ただし、当該領域においては液晶パネル１４０の表面に指９００が接触していないため、指９００が接触している領域よりも、フォトダイオード１４５の受光量は少なくなる。なお、バックライト１７９から発せられた光のうち、ユーザの指９００に到達しない光のほとんどについては、フォトダイオード１４５は受光できない。
【０１２０】
ここで、バックライト１７９を、少なくともセンシング期間においては点灯させておくことにより、光センサ回路１４４は、ユーザの指９００により反射した光の光量に応じた電圧をセンサ信号線ＳＳｊから出力することができる。このように、バックライト１７９の点灯と消灯とを制御することにより、液晶パネル１４０では、指９００の接触位置、指９００の接触している範囲（指９００の押圧力によって定まる）、液晶パネル１４０の表面に対する指９００の方向などに応じて、センサ信号線（ＳＳ１からＳＳｎ）から出力される電圧が変化することになる。
【０１２１】
以上により、表示装置１０２は、指９００によって光が反射されることにより得られる像（以下、反射像とも称する）をスキャンすることができる。
【０１２２】
なお、指９００以外のスキャン対象物としては、スタイラスなどが挙げられる。
ところで、本実施の形態においては、電子機器１００の表示装置として液晶パネルを例に挙げて説明しているが、液晶パネルの代わりに有機ＥＬ（Electro-Luminescence）パネルなどの他のパネルを用いてもよい。
【０１２３】
＜データについて＞
次に、第１ユニット１００１と第２ユニット１００２との間でやり取りされるコマンド、および第１ユニット１００１内の本体装置１０１と表示装置１０２との間でやり取りされるコマンドについて説明する。
【０１２４】
図７は、コマンドの概略構成を示した図である。図７を参照して、コマンドは、ヘッダＤＡ０１と、第１フィールドＤＡ０２と、第２フィールドＤＡ０３と、第３フィールドＤＡ０４と、第４フィールドＤＡ０５と、第５フィールドＤＡ０６と、予備のデータ領域ＤＡ０７とを含む。
【０１２５】
図８は、種別「０００」のコマンド（つまり、センシングコマンド）を説明するための図である。ＣＰＵ１１０は、種別「０００」のコマンド（以下、「第１コマンド」と称する）を、第１ユニット１００１の本体装置１０１から第２ユニット１００２に送る。あるいは、ＣＰＵ１１０は、第１コマンドを、本体装置１０１から表示装置１０２に送る。なお、以下においては、ＣＰＵ１１０が第１コマンドを第１ユニット１００１の本体装置１０１から第２ユニット１００２に送る場合を例に挙げて説明する。
【０１２６】
ＣＰＵ１１０は、ヘッダＤＡ０１に、コマンドの種別（「０００」）、コマンドの送信先等を書き込む。ＣＰＵ１１０は、第１フィールドＤＡ０２に、番号が「１」のタイミングの値を書き込む。ＣＰＵ１１０は、第２フィールドＤＡ０３に、番号が「２」のデータ種別の値を書き込む。ＣＰＵ１１０は、第３フィールドＤＡ０４に、番号が「３」の読取方式の値を書き込む。ＣＰＵ１１０は、第４フィールドＤＡ０５に、番号が「４」の画像階調の値を書き込む。ＣＰＵ１１０は、第５フィールドＤＡ０６に、番号が「５」の解像度の値を書き込む。
【０１２７】
第１フィールドＤＡ０２に「００」が設定された第１コマンドは、画像処理エンジン２８０に対して、そのときのスキャンデータの送信を要求する。つまり、センシング第１コマンドは、当該第１コマンドを画像処理エンジン２８０が受信した後に、液晶パネル２４０の光センサ回路を用いてスキャンすることにより得られるスキャンデータの送信を要求する。また、第１フィールドＤＡ０２に「０１」が設定された第１コマンドは、スキャン結果に変化があったときのスキャンデータの送信を要求する。さらに、第１フィールドＤＡ０２に「１０」が設定された第１コマンドは、一定周期毎にスキャンデータの送信を要求する。
【０１２８】
第２フィールドＤＡ０３に「００１」が設定された第１コマンドは、部分画像における中心座標の座標値の送信を要求する。また、第２フィールドＤＡ０３に「０１０」が設定された第１コマンドは、スキャン結果が変化した部分画像のみの送信を要求する。なお、スキャン結果が変化したとは、前回のスキャン結果と今回のスキャン結果が異なっていることを指す。さらに、第２フィールドＤＡ０３に「１００」が設定された第１コマンドは、全体画像の送信を要求する。
【０１２９】
ここで、「全体画像」とは、ｍ×ｎ個の光センサ回路を用いてスキャンした際に、各光センサ回路から出力される電圧に基づいて、画像処理エンジン２８０により生成された画像である。また、「部分画像」とは、全体画像の一部である。部分画像に関して、スキャン結果が変化した部分画像のみの送信を要求する構成とした理由については後述する。
【０１３０】
なお、上記座標値と上記部分画像または上記全体画像とを同時に要求する構成としてもよい。また、液晶パネル２４０の表面の一部の領域に関してスキャンを行う構成の場合には、上記全体画像はスキャンが行われる領域に対応した画像となる。
【０１３１】
第３フィールドＤＡ０４に「００」が設定されたセンシング第１コマンドは、バックライト２７９を点灯してスキャンすることを要求する。また、第３フィールドＤＡ０４に「０１」が設定された第１コマンドは、バックライト２７９を消灯してスキャンすることを要求する。なお、バックライト２７９を消灯してスキャンする構成については後述する（図１７）。さらに、第３フィールドＤＡ０４に「１０」が設定された第１コマンドは、反射と透過とを併用してスキャンすることを要求する。なお、反射と透過とを併用するとは、バックライト２７９を点灯してスキャンする方式と、バックライトを消灯してスキャンする方式とを切り換えて、スキャン対象物のスキャンを行うことを指す。
【０１３２】
第４フィールドＤＡ０５に「００」が設定された第１コマンドは、白黒の２値の画像データを要求する。また、第４フィールドＤＡ０５に「０１」が設定された第１コマンドは、多階調の画像データを要求する。さらに、第４フィールドＤＡ０５に「１０」が設定された第１コマンドは、ＲＧＢのカラーの画像データを要求する。
【０１３３】
第５フィールドＤＡ０６に「０」が設定された第１コマンドは、解像度の高い画像データを要求する。また、第５フィールドＤＡ０６に「１」が設定された第１コマンドは、解像度の低い画像データを要求する。
【０１３４】
また、上記第１コマンドには、図８に示したデータ以外に、スキャンを行う領域（光センサ回路１４４を駆動する画素の領域）の指定、スキャンを行うタイミング、バックライト１７９の点灯のタイミングなどが記述されている。
【０１３５】
なお、画像処理エンジン２８０は、第１コマンドの内容を解析し、当該解析の結果に従ったデータ（つまり、応答データ）を本体装置１０１に送り返す。
【０１３６】
図９は、種別「００１」のコマンド（以下、「第２コマンド」と称する）を説明するための図である。ＣＰＵ１１０は、第２コマンドを、第１ユニット１００１の本体装置１０１から第２ユニット１００２に送る。
【０１３７】
ＣＰＵ１１０は、ヘッダＤＡ０１に、コマンドの種別（「００１」）、コマンドの送信先等を書き込む。ＣＰＵ１１０は、第１フィールドＤＡ０２に、番号が「１」の表示要求の値を書き込む。ＣＰＵ１１０は、第２フィールドＤＡ０３に、番号が「２」の個数／種類に関する情報を書き込む。ＣＰＵ１１０は、第３フィールドＤＡ０４に、番号が「３」の表示範囲の値を書き込む。ＣＰＵ１１０は、第４フィールドＤＡ０５に、番号が「４」の画像データに関する情報を書き込む。
【０１３８】
第１フィールドＤＡ０２に「００１」が設定された第２コマンドは、液晶パネル２４０に画像を表示させることを画像処理エンジン２８０に対して要求する。また、第１フィールドＤＡ０２に「０１０」が設定された第２コマンドは、液晶パネル２４０にアイコンを表示させることを画像処理エンジン２８０に対して要求する。さらに、第１フィールドＤＡ０２に「０１１」が設定された第２コマンドは、液晶パネル２４０に手書領域を表示させることを画像処理エンジン２８０に対して要求する。
【０１３９】
第２フィールドＤＡ０３には、液晶パネル２４０に表示させる画像の個数、および手書言語の種類を指定する番号が格納される。画像処理エンジン２８０は、当該画像の個数、または言語の種類に応じた処理を行う。
【０１４０】
第３フィールドＤＡ０４に「０１」が設定された第２コマンドは、液晶パネル２４０における表示範囲を座標にて指定することを、画像処理エンジン２８０に対して要求する。また、第３フィールドＤＡ０４に「１０」が設定された第２コマンドは、液晶パネル２４０における表示範囲を表示領域の全体にすることを、画像処理エンジン２８０に対して要求する。
【０１４１】
第４フィールドＤＡ０５には、液晶パネル２４０に表示させる画像データと、当該画像データを表示する位置情報とが格納される。画像処理エンジン２８０は、当該位置情報で特定される位置に当該画像データを表示する処理を行う。
【０１４２】
図１０は、種別「０１０」のコマンド（以下、「第３コマンド」と称する）を説明するための図である。ＣＰＵ１１０は、第３コマンドを、第１ユニット１００１の本体装置１０１から第２ユニット１００２に送る。あるいは、ＣＰＵ２１０は、第３コマンドを、第２ユニット１００２の本体装置１０４から第１ユニット１００１に送る。
【０１４３】
ＣＰＵ１１０，２１０は、ヘッダＤＡ０１に、コマンドの種別（「０１０」）、コマンドの送信先等を書き込む。ＣＰＵ１１０，２１０は、第１フィールドＤＡ０２に、番号が「１」のＯＳ（Operating System）処理要求の値を書き込む。ＣＰＵ１１０，２１０は、第２フィールドＤＡ０３に、番号が「２」のＯＳ情報の値を書き込む。
【０１４４】
第１フィールドＤＡ０２に「０１」または「１０」が設定された第３コマンドは、第２ユニット１００２から第１ユニット１００１に送信される。
【０１４５】
第１フィールドＤＡ０２に「０１」が設定された第３コマンドは、第１ユニット１００１に対して、当該第１ユニット１００１のＯＳの種類を示した情報の送信を要求する。また、第１フィールドＤＡ０２に「１０」が設定された第３コマンドは、第１ユニット１００１に対して、ＯＳ情報にて指定されたＯＳの起動を要求する。
【０１４６】
第２フィールドＤＡ０３に「０００」、「００１」、または「０１０」が設定された第３コマンドは、第２ユニット１００２から第１ユニット１００１に送信される。
【０１４７】
第２フィールドＤＡ０３に「０００」が設定された第３コマンドは、第１ユニット１００１におけるＯＳの起動を要求しない。また、第２フィールドＤＡ０３に「００１」が設定された第３コマンドは、第２ユニット１００２が第１ＯＳの起動を選択したことを示す。さらに、第２フィールドＤＡ０３に「０１０」が設定された第３コマンドは、第２ユニット１００２が第２ＯＳの起動を選択したことを示す。
【０１４８】
図１１は、種別「０１１」のコマンド（以下、「第４コマンド」と称する）を説明するための図である。ＣＰＵ２１０は、第４コマンドを、第２ユニット１００２の本体装置１０４から第１ユニット１００１に送る。
【０１４９】
ＣＰＵ２１０は、ヘッダＤＡ０１に、コマンドの種別（「０１１」）、コマンドの送信先等を書き込む。ＣＰＵ２１０は、第１フィールドＤＡ０２に、番号が「１」の起動アプリに関する情報を書き込む。ＣＰＵ２１０は、第２フィールドＤＡ０３に、番号が「２」の起動時情報を書き込む。
【０１５０】
第１フィールドＤＡ０２には、第１ユニット１００１において起動させるアプリを指定する情報が格納される。第２フィールドＤＡ０３には、起動設定時に用いる情報、および起動後に用いる情報が格納される。
【０１５１】
図１２は、種別「１００」のコマンド（以下、「第５コマンド」と称する）を説明するための図である。ＣＰＵ２１０は、第５コマンドを、第２ユニット１００２の本体装置１０４から第１ユニット１００１に送る。
【０１５２】
ＣＰＵ２１０は、ヘッダＤＡ０１に、コマンドの種別（「１００」）、コマンドの送信先等を書き込む。ＣＰＵ２１０は、第１フィールドＤＡ０２に、番号が「１」の受信要求に関する情報を書き込む。ＣＰＵ２１０は、第２フィールドＤＡ０３に、番号が「２」の個数に関する情報を書き込む。ＣＰＵ２１０は、第３フィールドＤＡ０４に、番号が「３」のファイルに関する情報を書き込む。
【０１５３】
第１フィールドＤＡ０２に「０１」が設定された第５コマンドは、第１ユニット１００１に対してファイルの受信を要求する。また、第２フィールドＤＡ０３には、第２ユニット１００２が第１ユニット１００１に送信するファイルの個数が格納される。さらに、第３フィールドＤＡ０４には、第２ユニット１００２が第１ユニット１００１に送信するファイルが格納される。
【０１５４】
図１３は、種別「１０１」のコマンド（以下、「第６コマンド」と称する）を説明するための図である。ＣＰＵ１１０は、第６コマンドを、第１ユニット１００１の本体装置１０１から第２ユニット１００２に送る。あるいは、ＣＰＵ２１０は、第６コマンドを、第２ユニット１００２の本体装置１０４から第１ユニット１００１に送る。
【０１５５】
ＣＰＵ１１０，２１０は、ヘッダＤＡ０１に、コマンドの種別（「１０１」）、コマンドの送信先等を書き込む。ＣＰＵ１１０，２１０は、第１フィールドＤＡ０２に、番号が「１」の通信種別の値を書き込む。ＣＰＵ１１０，２１０は、第２フィールドＤＡ０３に、番号が「２」の接続先の値を書き込む。ＣＰＵ１１０，２１０は、第３フィールドＤＡ０４に、番号が「３」の転送先の値を書き込む。ＣＰＵ１１０，２１０は、第４フィールドＤＡ０５に、番号が「４」の信号強度の取得タイミングの値を書き込む。
【０１５６】
第１フィールドＤＡ０２に「００１」が設定された第６コマンドは、相手側の装置に対して赤外線通信を行なうことを要求する。また、第１フィールドＤＡ０２に「０１０」が設定された第６コマンドは、相手側の装置に対してＢｌｕｅｔｏｏｔｈ（登録商標）による無線通信を行なうことを要求する。さらに、第１フィールドＤＡ０２に「０１１」が設定された第６コマンドは、相手側の装置に対してＬＡＮ通信を行なうことを要求する。
【０１５７】
第２フィールドＤＡ０３に「０００」が設定された第６コマンドは、通信の接続先を指定する情報を有していないことを示す。
【０１５８】
また、第２フィールドＤＡ０３に「００１」が設定された第６コマンドは、第１ユニット１００１によって、当該第１ユニット１００１の接続先の装置に送信される。そのような第６コマンドは、第１ユニット１００１が接続する装置に関する情報の送信を要求する。
【０１５９】
さらに、第２フィールドＤＡ０３に「０１０」が設定された第６コマンドは、第２ユニット１００２によって、当該第２ユニット１００２の接続先の第１ユニット１００１に送信される。そのような第６コマンドは、第２ユニット１００２が接続する第１ユニット１００１に関する情報の送信を要求する。
【０１６０】
また、第２フィールドＤＡ０３に「０１１」が設定された第６コマンドは、第２ユニット１００２によって、当該第２ユニット１００２の接続先の第１ユニット１００１に送信される。そのような第６コマンドは、第２ユニット１００２に関する情報を接続先の機器情報として設定することを要求する。
【０１６１】
さらに、第２フィールドＤＡ０３に「１００」が設定された第６コマンドは、第１ユニット１００１によって、当該第１ユニット１００１の接続先の装置（たとえば、第２ユニット１００２）に送信される。そのような第６コマンドは、第１ユニット１００１に関する情報を接続先の機器情報として設定することを要求する。
【０１６２】
第３フィールドＤＡ０４に「０００」が設定された第６コマンドは、データ（たとえば、ファイル）の転送先を指定する情報を有していないことを示す。
【０１６３】
また、第３フィールドＤＡ０４に「００１」が設定された第６コマンドは、第１ユニット１００１によって、データ転送先の装置に送信される。そのような第６コマンドは、データ転送先の装置に関する情報の送信を要求する。
【０１６４】
さらに、第３フィールドＤＡ０４に「０１０」が設定された第６コマンドは、第２ユニット１００２によって、データ転送先の第１ユニット１００１に送信される。そのような第６コマンドは、データ転送先の第１ユニット１００１に関する情報の送信を要求する。
【０１６５】
また、第３フィールドＤＡ０４に「０１１」が設定された第６コマンドは、第２ユニット１００２によって、データ転送先の第１ユニット１００１に送信される。そのような第６コマンドは、第２ユニット１００２に関する情報をデータ転送元の機器情報として設定することを要求する。
【０１６６】
さらに、第３フィールドＤＡ０４に「１００」が設定された第６コマンドは、第１ユニット１００１によって、データ転送先の装置（たとえば、第２ユニット１００２）に送信される。そのような第６コマンドは、第１ユニット１００１に関する情報をデータ転送元の機器情報として設定することを要求する。
【０１６７】
第４フィールドＤＡ０５に「００」、「０１」、「１０」、または「１１」が設定された第６コマンドは、第１ユニット１００１によって、第２ユニット１００２に送信される。
【０１６８】
第４フィールドＤＡ０５に「００」が設定された第６コマンドは、第２ユニット１００２に対して、信号強度を示したデータの送信を要求しない。また、第４フィールドＤＡ０５に「０１」が設定された第６コマンドは、信号強度検出部２９７に対して、そのときの信号強度を示したデータの送信を要求する。さらに、第４フィールドＤＡ０５に「１０」が設定された第６コマンドは、信号強度に変化があったときの信号強度を示したデータの送信を要求する。また、第４フィールドＤＡ０５に「１１」が設定された第６コマンドは、一定周期毎に信号強度を示したデータの送信を要求する。
【０１６９】
図１４は、応答データの概略構成を示した図である。応答データは、第１コマンド（センシングコマンド）の内容に応じたデータである。
【０１７０】
第１コマンドが本体装置１０１から第２ユニット１００２に送信された場合、ＣＰＵ２１０は、応答データを、表示装置１０３から第１ユニット１００１に送信する。また、第１コマンドが本体装置１０１から第１ユニット１００１の表示装置１０２に送信された場合、画像処理エンジン１８０は、応答データを、画像処理エンジン１８０から本体装置１０１に送信する。なお、以下では、第１コマンドが本体装置１０１から第２ユニット１００２に送信された場合を例に挙げて説明する。
【０１７１】
図１４を参照して、応答データは、ヘッダのデータ領域ＤＡ１１と、座標を示すデータ領域ＤＡ１２と、時刻を示すデータ領域ＤＡ１３と、画像を示すデータ領域ＤＡ１４とを含む。ここで、座標を示すデータ領域ＤＡ１２には、部分画像の中心座標の値が書き込まれる。また、時刻を示すデータ領域には、画像処理エンジン２８０のタイマ２８２から取得した時刻情報が書き込まれる。さらに、画像を示すデータ領域には、画像処理エンジン２８０により処理がされた後の画像データ（つまり、スキャンデータ）が書き込まれる。
【０１７２】
図１５は、指９００をスキャンすることにより得られた画像（つまり、スキャン画像）を示した図である。図１５を参照して、太実線で囲まれた領域Ｗ１の画像が全体画像であり、破線で囲まれた領域Ｐ１の画像が部分画像である。また、太線で示した十字の中心点Ｃ１が、中心座標となる。
【０１７３】
本実施の形態では、矩形の領域であって、かつセンサ信号線ＳＳｊからの出力電圧が予め定められた値以上となった光センサ回路が備えられた画素（つまり、予め定められた階調または予め定められた輝度以上の画素）全てを含む領域を、部分画像の領域としている。
【０１７４】
また、中心座標は、部分画像の領域における各画素の階調を考慮して決定される座標である。具体的には、中心座標は、部分画像内の各画素に関し、画素の階調と、当該画素と上記矩形の中心点（つまり図心）との距離とに基づき、重み付け処理を行うことにより決定される。つまり、中心座標は、部分画像の図心とは必ずしも一致しない。
【０１７５】
ただし、必ずしも中心座標の位置は上記に限定されるものではなく、中心座標を上記図心の座標あるいは図心の近傍の座標としてもよい。
【０１７６】
第１コマンドのデータ種別を示すデータ領域に「００１」が設定されている場合には、画像処理エンジン２８０は、座標を示すデータ領域ＤＡ１２に上記中心座標の値を書き込む。この場合、画像処理エンジン２８０は、画像を示すデータ領域ＤＡ１４には画像データを書き込まない。画像処理エンジン２８０は、上記中心座標の値の書き込みを行なった後、当該中心座標の値を含む応答データを本体装置１０４に送る。本体装置１０４は、当該中心座標の値を含む応答データを第１ユニット１００１の本体装置１０１に送る。このように、データ種別を示すデータ領域に「００１」が設定されている場合には、第１コマンドは、画像データの出力を要求せずに、中心座標の値の出力を要求する。
【０１７７】
また、第１コマンドのデータ種別を示すデータ領域に「０１０」が設定されている場合には、画像処理エンジン２８０は、画像を示すデータ領域ＤＡ１４に、スキャン結果が変化した部分画像の画像データを書き込む。この場合、画像処理エンジン２８０は、中心座標の値を座標を示すデータ領域ＤＡ１２に書き込まない。画像処理エンジン２８０は、上記スキャン結果が変化した部分画像の画像データの書き込みを行なった後、当該部分画像の画像データを含む応答データを本体装置１０４に送る。本体装置１０４は、当該部分画像の画像データを含む応答データを第１ユニット１００１の本体装置１０１に送る。このように、データ種別を示すデータ領域に「０１０」が設定されている場合には、第１コマンドは、中心座標の値の出力を要求せずに、スキャン結果が変化した部分画像の画像データの出力を要求する。
【０１７８】
なお、上記のように、スキャン結果が変化した部分画像のみの送信を要求する構成とした理由は、スキャンデータのうち部分画像の領域のスキャンデータが、当該領域以外のスキャンデータよりも重要度の高いデータであること、および、指９００などのスキャン対象物との接触状態により、スキャンデータのうち部分画像の領域に相当する領域のスキャンデータが変化しやすいことによる。
【０１７９】
また、第１コマンドのデータ種別を示すデータ領域に「０１１」が設定されている場合には、画像処理エンジン２８０は、座標を示すデータ領域ＤＡ１２に中心座標の値を書き込むとともに、画像を示すデータ領域ＤＡ１４にスキャン結果が変化した部分画像の画像データを書き込む。その後、画像処理エンジン２８０は、当該中心座標の値と当該部分画像の画像データとを含む応答データを本体装置１０４に送る。本体装置１０４は、当該中心座標の値と当該部分画像の画像データとを含む応答データを第１ユニット１００１の本体装置１０１に送る。このように、データ種別を示すデータ領域に「０１１」が設定されている場合には、第１コマンドは、中心座標の値の出力と、スキャン結果が変化した部分画像の画像データの出力とを要求する。
【０１８０】
また、第１コマンドのデータ種別を示すデータ領域に「１００」が設定されている場合には、画像処理エンジン２８０は、図１４に示した応答データの画像を示すデータ領域ＤＡ１４に、全体画像の画像データを書き込む。この場合、画像処理エンジン２８０は、中心座標の値を座標を示すデータ領域ＤＡ１２に書き込まない。画像処理エンジン２８０は、上記全体画像の画像データの書き込みを行なった後、当該全体画像の画像データを含む応答データを本体装置１０４に送る。本体装置１０４は、当該全体画像の画像データを含む応答データを第１ユニット１００１の本体装置１０１に送る。このように、データ種別を示すデータ領域に「１００」が設定されている場合には、第１コマンドは、中心座標の値の出力を要求せずに、全体画像の画像データの出力を要求する。
【０１８１】
また、第１コマンドのデータ種別を示すデータ領域に「１０１」が設定されている場合には、画像処理エンジン２８０は、座標を示すデータ領域ＤＡ１２に中心座標の値を書き込むとともに、画像を示すデータ領域ＤＡ１４に全体画像の画像データを書き込む。その後、画像処理エンジン２８０は、当該中心座標の値と当該全体画像の画像データとを含む応答データを本体装置１０４に送る。本体装置１０４は、当該中心座標の値と当該全体画像の画像データとを含む応答データを第１ユニット１００１の本体装置１０１に送る。このように、データ種別を示すデータ領域に「１０１」が設定されている場合には、第１コマンドは、中心座標の値の出力と、全体画像の画像データの出力とを要求する。
【０１８２】
＜構成の第１の変形例について＞
ところで、液晶パネル１４０の構成は、図３に示した構成に限定されるものではない。以下では、図３とは異なる態様の液晶パネルについて説明する。
【０１８３】
図１６は、上記異なる態様である光センサ内蔵液晶パネル１４０Ａの回路図である。図１６を参照して、光センサ内蔵液晶パネル１４０Ａ（以下、液晶パネル１４０Ａと称する）は、１画素内に３つの光センサ回路（１４４ｒ，１４４ｇ，１４４ｂ）を含んでいる。このように液晶パネル１４０Ａが１画素内に３つの光センサ回路（１４４ｒ，１４４ｇ，１４４ｂ）を備える点において、液晶パネル１４０Ａは、１画素内に１つの光センサ回路を備える液晶パネル１４０と異なる。なお、光センサ回路１４４の構成と、３つの各光センサ回路（１４４ｒ，１４４ｇ，１４４ｂ）との構成は同じである。
【０１８４】
また、１画素内における３つのフォトダイオード（１４５ｒ，１４５ｇ，１４５ｂ）は、それぞれ、カラーフィルタ１５３ｒ、カラーフィルタ１５３ｇ、カラーフィルタ１５３ｂに対向する位置に配されている。それゆえ、フォトダイオード１４５ｒは赤色の光を受光し、フォトダイオード１４５ｇは緑色の光を受光し、フォトダイオード１４５ｂは青色の光を受光する。
【０１８５】
また、液晶パネル１４０は１画素内において１つの光センサ回路１４４しか含まないため、１画素内に配設されるＴＦＴ１４７用のデータ信号線は、センサ信号線ＳＳｊとセンサ信号線ＳＤｊとの２本であった。しかしながら、液晶パネル１４０Ａは１画素内において３つの光センサ回路（１４４ｒ，１４４ｇ，１４４ｂ）を含むため、１画素内に配設されるＴＦＴ（１４７ｒ，１４７ｇ，１４７ｂ）用のデータ信号線は６本となる。
【０１８６】
具体的には、カラーフィルタ１５３ｒに対向する位置に配されたフォトダイオード１４５ｒのカソードに接続されたＴＦＴ１４７ｒに対応して、センサ信号線ＳＳＲｊとセンサ信号線ＳＤＲｊとが配設される。また、カラーフィルタ１５３ｇに対向する位置に配されたフォトダイオード１４５ｇのカソードに接続されたＴＦＴ１４７ｇに対応して、センサ信号線ＳＳＧｊとセンサ信号線ＳＤＧｊとが配設される。さらに、カラーフィルタ１５３ｂに対向する位置に配されたフォトダイオード１４５ｂのカソードに接続されたＴＦＴ１４７ｂに対応して、センサ信号線ＳＳＢｊとセンサ信号線ＳＤＢｊとが配設される。
【０１８７】
このような液晶パネル１４０Ａにおいては、バックライト１７９から照射された白色光は、３つのカラーフィルタ（１５３ｒ，１５３ｇ，１５３ｂ）を透過し、液晶パネル１４０Ａの表面では、赤、緑、および青とが混ざり白色光となる。ここで、スキャン対象物により白色光が反射されると、スキャン対象物の表面の色素に白色光の一部が吸収され、また一部が反射される。そして、反射された光は、再度、３つのカラーフィルタ（１５３ｒ，１５３ｇ，１５３ｂ）を透過する。
【０１８８】
この際、カラーフィルタ１５３ｒは赤色の波長の光を透過し、フォトダイオード１４５ｒは、当該赤色の波長の光を受光する。また、カラーフィルタ１５３ｇは緑色の波長の光を透過し、フォトダイオード１４５ｇは、当該緑色の波長の光を受光する。また、カラーフィルタ１５３ｂは青色の波長の光を透過し、フォトダイオード１４５ｂは、当該青色の波長の光を受光する。つまり、スキャン対象物によって反射された光は３つのカラーフィルタ（１５３ｒ，１５３ｇ，１５３ｂ）によって３原色（Ｒ，Ｇ，Ｂ）に色分解され、各フォトダイオード（１４５ｒ，１４５ｇ，１４５ｂ）は、それぞれに対応した色の光を受光する。
【０１８９】
スキャン対象物の表面の色素に白色光の一部が吸収されると、各フォトダイオード（１４５ｒ，１４５ｇ，１４５ｂ）の受光量が各フォトダイオード（１４５ｒ，１４５ｇ，１４５ｂ）で異なることになる。このため、センサ信号線ＳＳＲｊとセンサ信号線ＳＳＧｊとセンサ信号線ＳＳＢｊとの出力電圧は互いに異なる。
【０１９０】
それゆえ、各出力電圧に応じて、Ｒの階調とＧの階調とＢの階調とを画像処理エンジン１８０が決定することにより、画像処理エンジン１８０はＲＧＢのカラー画像を本体装置１０１へ送ることができる。
【０１９１】
以上述べたように、電子機器１００が液晶パネル１４０Ａを備えた構成とすることにより、スキャン対象物をカラーでスキャンできることになる。
【０１９２】
次に、図１７を参照して、前述のスキャンの方法（つまり、図６における反射像をスキャンする方法）とは異なるスキャンの方法について説明する。
【０１９３】
図１７は、スキャンの際にフォトダイオードが外光を受光する構成を示した断面図である。同図に示すとおり、外光の一部は、指９００によって遮られる。それゆえ、指９００と接触している液晶パネル１４０の表面領域の下部に配されたフォトダイオードは、ほとんど外光を受光できない。また、指９００の影が形成された表面領域の下部に配されたフォトダイオードは、ある程度の外光を受光できるものの、影が形成されていない表面領域に比べると外光の受光量が少ない。
【０１９４】
ここで、バックライト１７９を、少なくともセンシング期間においては消灯させておくことにより、光センサ回路１４４は、液晶パネル１４０の表面に対する指９００の位置に応じた電圧をセンサ信号線ＳＳｊから出力することができる。このように、バックライト１７９を点灯と消灯とを制御することにより、液晶パネル１４０では、指９００の接触位置、指９００の接触している範囲（指９００の押圧力によって定まる）、液晶パネル１４０の表面に対する指９００の方向などに応じて、センサ信号線（ＳＳ１からＳＳｎ）から出力される電圧が変化することになる。
【０１９５】
以上により、表示装置１０２は、指９００によって外光が遮られることにより得られる像（以下、影像とも称する）をスキャンすることができる。
【０１９６】
さらに、表示装置１０２を、バックライト１７９を点灯させてスキャンを行った後に、バックライト１７９を消灯させて再度スキャンを行う構成としてもよい。あるいは、表示装置１０２を、バックライト１７９を消灯させてスキャンを行った後に、バックライト１７９を点灯させて再度スキャンを行う構成としてもよい。
【０１９７】
この場合には、２つのスキャン方式を併用することになるため、２つのスキャンデータを得ることができる。それゆえ、一方のスキャン方式のみを用いてスキャンする場合に比べて、精度の高い結果を得ることができる。
【０１９８】
＜表示装置について＞
表示装置１０３の動作は、表示装置１０２の動作と同様、本体装置１０１からのコマンド（たとえば、第１コマンド）に応じて制御される。表示装置１０３は表示装置１０２と同様な構成を有する。それゆえ、表示装置１０３が表示装置１０２と同じコマンドを本体装置１０１から受け付けた場合、表示装置１０３は表示装置１０２と同様の動作を行う。このため、表示装置１０３の構成や動作についての説明は繰り返さない。
【０１９９】
なお、本体装置１０１は、表示装置１０２と表示装置１０３とに対して、命令が異なるコマンドを送ることができる。この場合、表示装置１０２と表示装置１０３とは別々の動作を行う。また、本体装置１０１は、表示装置１０２および表示装置１０３のいずれかに対して、コマンドを送ってもよい。この場合、一方の表示装置のみがコマンドに応じた動作を行う。また、本体装置１０１が、表示装置１０２と表示装置１０３とに命令が同じコマンドを送ってもよい。この場合、表示装置１０２と表示装置１０３とは、同じ動作を行う。
【０２００】
なお、表示装置１０２の液晶パネル１４０のサイズと表示装置１０３の液晶パネル２４０のサイズとは、同じであってもよいし又は異なっていてもよい。また、液晶パネル１４０の解像度と液晶パネル２４０の解像度とは、同じであってもよいし又は異なっていてもよい。
【０２０１】
＜構成の第２の変形例について＞
本実施の形態では、電子機器１００が、液晶パネル１４０と液晶パネル２４０といったそれぞれに光センサを内蔵した液晶パネルを備える構成について説明するが、一方の液晶パネルのみが光センサを内蔵している構成であってもよい。
【０２０２】
図１８は、電子機器１３００のハードウェア構成を表すブロック図である。電子機器１３００は、電子機器１００と同様、第１の筐体１００Ａと、第２の筐体１００Ｂとを含む。また、図１８を参照して、電子機器１３００は、第１ユニット１００１Ａと、第２ユニット１００２とを含む。第１ユニット１００１Ａは、本体装置１０１と、表示装置１０２Ａとを含む。第２ユニット１００２は、本体装置１０４と、表示装置１０３とを含む。
【０２０３】
表示装置１０２Ａは、光センサを内蔵しない液晶パネル（つまり、表示機能のみを有する液晶パネル）を含む。電子機器１３００は、第１ユニット１００１Ａが光センサを内蔵しない液晶パネルを含む点で、第１ユニット１００１が光センサを内蔵した液晶パネル２４０を含む電子機器１００と異なる。このような電子機器１３００は、第２ユニット１００２の表示装置１０３を用いて上述したセンシングを行なう。
【０２０４】
また、第１ユニット１００１は、光センサを内蔵した液晶パネル１４０の代わりに、たとえば抵抗膜方式や静電容量方式のタッチパネルを備えてもよい。
【０２０５】
また、本実施の形態では、表示装置１０２がタイマ１８２を備え、表示装置１０３がタイマ２８２を備える構成として説明するが、表示装置１０２と表示装置１０３とが１つのタイマを共有する構成としてもよい。
【０２０６】
また、本実施の形態では、電子機器１００を折畳型の機器として説明するが、電子機器１００は必ずしも折畳型に限定されるものではない。たとえば、電子機器１００は、第１の筐体１００Ａが第２の筐体１００Ｂに対してスライドする構成のスライド式の機器であってもよい。
【０２０７】
本実施の形態に係る電子機器１００は、上記のように構成されているため、第２ユニット１００２が、ＵＳＢコネクタ１９４，２９４を介して第１ユニット１００１に着脱自在になっている。
【０２０８】
そして、本実施の形態に係る電子機器１００は、たとえば電源投入時において、以下のような機能を発揮することができる。まず、ユーザが第１ユニット１００１の電源スイッチ１９１を押下すると、第１ユニット１００１は電源回路１９２からの電力を利用することによってＢＩＯＳ（Basic Input/Output System）を起動させる。
【０２０９】
第２ユニット１００２は、ＵＳＢコネクタ１９４，２９４を介して第１ユニット１００１から電力を取得する。第２ユニット１００２は、当該電力を利用することによって、第１ユニット１００１との間でデータを送受信することができる。このとき、第２ユニット１００２のＣＰＵ２１０は、ＵＳＢコネクタ１９４，２９４からの電力を使用することによって、液晶パネル２４０にＯＳ（Operation System）の種類を選択可能に表示させることができる。
【０２１０】
ユーザは、液晶パネル２４０を介して、起動したいＯＳを選択する。ＣＰＵ２１０は、ユーザの選択に応じ、ＵＳＢコネクタ１９４，２９４を介して第１ユニット１００１へと、起動すべきＯＳを指定するコマンド（たとえば、図１０に示す「第１のＯＳ」コマンド）を送信する。第１ユニット１００１は、当該コマンドに応じて、ＯＳを起動する。
【０２１１】
また、たとえば、第２ユニット１００２は、アンテナ２９５を介して外部の携帯電話などとの間でデータの送受信を行う。第２ユニット１００２のＣＰＵ２１０は、アンテナ２９５を介して、外部の携帯電話から写真画像データや対応するサムネイルデータを取得して、当該写真画像データや対応するサムネイルデータをＲＡＭ２７１などに格納する。ＣＰＵ２１０は、ＲＡＭ２７１からサムネイルデータを読み出して、液晶パネル２４０に写真のサムネイル画像を選択可能に表示させる。
【０２１２】
そして、外部からの選択命令に応じて、ＣＰＵ２１０は、液晶パネル２４０に写真画像を表示させる。あるいは、ＣＰＵ２１０は、ＵＳＢコネクタ２９４を介して、写真画像を液晶パネル１４０あるいは表示装置１０２Ａに表示させる。
【０２１３】
なお、上述したように、電子機器１００の第２の液晶パネル２４０は、タブレット機能と表示機能とを有する通常のタッチパネルであってもよい。
【０２１４】
＜構成の第３の変形例について＞
電子機器１００では、図８を参照して説明したような第１コマンドが、本体装置１０１から、第２ユニット１００２または表示装置１０２に送信される。なお、第１コマンドは、図８に示されたフィールドに加え、第２ユニット１００２または表示装置１０２に対してスキャンデータの送信を要求する範囲を指定するフィールドを含んでいてもよい。種別「０００」のコマンドのこのような変形例を説明するための図を、図１９に示す。
【０２１５】
図１９を参照して、この変形例の第１コマンドでは、図８に示されたコマンドと比較して、第２フィールドＤＡ０３に設定される値として、「１１１」が追加されている。第２フィールドＤＡ０３に「１１１」が設定された第１コマンドは、相対座標の座標値の送信を要求する。
【０２１６】
ここで、相対座標とは、今回のスキャン結果によって求められた中心座標の座標値と前回のスキャン結果によって求められた中心座標の座標値の差分の座標値を意味する。つまり、相対座標は、液晶パネル２４０などにおける操作位置が、前回のスキャン時と今回のスキャン時との間でどれだけ変化したかを表わす座標である。
【０２１７】
図１９に示された第１コマンドでは、ＣＰＵ１１０は、予備のデータ領域ＤＡ０７（図７参照）に、番号が「６」のスキャン範囲の値を書込む。
【０２１８】
予備のデータ領域ＤＡ０７に「００」が設定された第１コマンドは、第２ユニット１００２に送信された場合、液晶パネル２４０におけるスキャンの範囲を座標にて指定することを、画像処理エンジン２８０に対して要求する。また、予備のデータ領域ＤＡ０７に「０１」が設定された第１コマンドは、液晶パネル２４０におけるスキャン範囲を液晶パネル２４０のスキャン可能領域の全体にすることを、画像処理エンジン２８０に対して要求する。
【０２１９】
なお、図１９を参照して説明した第１コマンドは、第２ユニット１００２に送信された場合、第２フィールドＤＡ０３に「００１」が設定された場合には、部分画像における中心座標の座標値の送信を要求する。つまり、液晶パネル２４０に対してタッチ操作がなされた場合に当該操作位置の絶対的な座標値の送信を要求する。
【０２２０】
一方、第１コマンドは、第２フィールドＤＡ０３に「１１１」が設定された場合、部分画像についての中心座標の相対座標の座標値の送信を要求する。これにより、液晶パネル２４０上での操作位置が当該液晶パネル２４０にタッチされたまま移動された場合には、スキャン結果が導出されるたびに算出される前回のスキャン結果に基づく中心座標の座標値に対する今回の中心座標の座標値の差分のデータの送信が要求される。
【０２２１】
また、図１９を参照して説明した第１コマンドは、予備のデータ領域ＤＡ０７に番号の「６」のスキャン範囲の値が書込まれた場合、送信を要求するスキャンデータの液晶パネル２４０の範囲を指定できる。
【０２２２】
つまり、図１９を参照して説明した第１コマンドによれば、液晶パネル２４０の全体のスキャンデータの送信を要求することもできるし、データ種別に応じたスキャン範囲を指定してスキャンデータの送信を要求することもできる。
【０２２３】
このことから、図１９の第１コマンドは、スキャン範囲の座標として液晶パネル２４０のある領域を指定し、第２フィールドＤＡ０３に「００１」を設定することにより、上記ある領域に対してなされた操作位置の中心座標の座標値の送信を要求することができる。また、図１９の第１コマンドは、スキャン範囲としてある特定の領域が指定され、そして、第２フィールドＤＡ０３に「１１１」を設定されることにより、第１コマンドは、上記した領域内で行なわれたタッチ操作における相対的な操作位置の変化量の送信を要求することができる。
【０２２４】
なお、第２フィールドＤＡ０３に「１１１」が設定された第１コマンドの応答データとしては、画像を表わすデータ領域ＤＡ１４（図１４参照）には、画像処理エンジン２８０により処理がされた後の画像データとして、今回のスキャン結果と前回のスキャン結果における中心座標の座標値の差分を表わす座標値が書込まれる。
【０２２５】
＜サブ画面制御処理について＞
次に、電子機器１００において実行されているアプリケーションの状態に応じて液晶パネル２４０を制御するためにＣＰＵ１１０が実行する処理（サブ画面制御処理）について、当該処理のフローチャートである図２０を参照して説明する。
【０２２６】
図２０を参照して、サブ画面制御処理では、ＣＰＵ１１０は、まずステップＳＡ１０で、実行中のアプリケーションプログラムにおける、液晶パネル２４０についての初期設定の内容を読込み、ステップＳＡ２０へ処理を進める。初期設定の内容には、後述する表示情報、相対座標モード領域情報、および絶対座標モード領域情報が含まれる。
【０２２７】
ステップＳＡ２０では、ＣＰＵ１１０は、上記初期設定または後述するステップＳＡ６０での入力情報の解析結果に基づいて決定される液晶パネル２４０の表示情報を第２ユニット１００２に送信して、ステップＳＡ３０へ処理を進める。ここで送信される情報は、図９の第２コマンドを含む。
【０２２８】
ステップＳＡ３０では、ＣＰＵ１１０は、上記した初期設定または後述するステップＳＡ６０での入力情報の解析結果に基づいて決定される相対座標モード領域情報と絶対座標モード領域情報とを第２ユニット１００２にそれぞれ送信して、ステップＳＡ５０へ処理を進める。
【０２２９】
相対座標モード領域情報とは、液晶パネル２４０の表示面の中で、操作がなされたときに当該操作についての相対座標を出力するように指定される領域を特定する情報であり、図１９の第１コマンドを含む。
【０２３０】
絶対座標モード領域情報とは、液晶パネル２４０の表示面の中で、操作されるときに部分画像の中心座標を出力するように指定される領域を特定するための情報であり、図１９の第１コマンドを含む。
【０２３１】
ステップＳＡ５０では、ＣＰＵ１１０は、電子機器１００に対して情報の入力があったか否かを判断する。ここで判断対象となる情報の入力とは、操作キー１７７などの第１ユニット１００１に設けられた入力手段に対する情報の入力に限らず、液晶パネル２４０などの第２ユニット１００２に含まれる入力手段に対する情報入力も含む。
【０２３２】
そして、ＣＰＵ１１０は、情報の入力があったと判断すると、ステップＳＡ６０へ処理を進める。
【０２３３】
ステップＳＡ６０では、ＣＰＵ１１０は、ステップＳＡ５０で入力されたと判断した情報について、その内容を解析し、実行中のアプリケーションのプログラムに従って入力された情報を解析し、当該解析結果に基づいた適切な処理を実行して、ステップＳＡ７０へ処理を進める。
【０２３４】
ステップＳＡ７０では、ＣＰＵ１１０は、ステップＳＡ６０による解析および処理の実行の結果として、ステップＳＡ２０で第２ユニット１００２に送信した表示情報またはステップＳＡ３０，ＳＡ４０で第２ユニット１００２に送信した相対座標モード領域情報と絶対座標モード領域情報の、少なくとも一方に変更の必要が生じたか否かを判断し、そのような必要が生じていないと判断すると、処理をステップＳＡ５０へ戻す。一方、変更の必要が生じたと判断すると、ステップＳＡ２０へ処理を戻し、ステップＳＡ２０〜ステップＳＡ４０で、変更後のそれぞれの情報を第２ユニット１００２に送信した後、ステップＳＡ５０で情報の入力を待つ。
【０２３５】
＜サブ側制御処理＞
次に、ＣＰＵ１１０が上記したサブ画面制御処理を実行することによって第２ユニット１００２に情報が送信されたことに応じて、信号処理部２８３が液晶パネル２４０の制御を実行するための処理（サブ側制御処理）について、当該処理のフローチャートである図２１および図２２を参照して説明する。
【０２３６】
まず図２１を参照して、サブ側制御処理では、信号処理部２８３は、まずステップＳＢ１０で、ＣＰＵ１１０から上記した表示情報または領域情報の少なくとも一方を受信するまで待機し、受信したと判断するとステップＳＢ２０へ処理を進める。
【０２３７】
ステップＳＢ２０では、信号処理部２８３は、ＣＰＵ１１０から送信されてきた表示情報に従って、液晶パネル２４０の表示内容を更新して、ステップＳＢ３０へ処理を進める。
【０２３８】
ステップＳＢ３０では、信号処理部２８３は、ＣＰＵ１１０から送信されてきた領域情報に基づいて当該信号処理部２８３内の記憶装置に記憶されている領域管理情報を更新して、ステップＳＢ４０へ処理を進める。
【０２３９】
ここで、領域管理情報とは、液晶パネル２４０のセンシングが可能な領域の中で、相対座標モード領域情報により相対座標モード領域と指定された領域および絶対座標モード領域情報により絶対座標モード領域に指定された領域を特定する情報である。
【０２４０】
ステップＳＢ４０では、信号処理部２８３は、液晶パネル２４０のセンシングが可能な領域のいずれかにおいてタッチ操作がなされたか否かを判断し、なされたと判断するとステップＳＢ７０へ処理を進め、なされていないと判断するとステップＳＢ５０へ処理を進める。
【０２４１】
ここで、タッチ操作があったとは、液晶パネル２４０へのタッチがある状態を意味する。
【０２４２】
ステップＳＢ５０では、信号処理部２８３は、液晶パネル２４０のセンシング可能な領域のいずれかにおいてアップ操作があったか否かを判断し、あったと判断するとステップＳＢ６０へ処理を進め、なかったと判断するとステップＳＢ１０へ処理を戻す。
【０２４３】
ここで、アップ操作とは、液晶パネル２４０へのタッチがあった状態から無い状態へと変化することをいう。
【０２４４】
そして、信号処理部２８３は、ステップＳＢ２５０でアップ操作があったと判断すると、ステップＳＢ６０へ処理を進める。
【０２４５】
ステップＳＢ６０では、信号処理部２８３は、ステップＳＢ５０で検出したアップ操作によって終了したタッチ操作が、相対座標モード領域において、その継続時間が所定時間以内であったタッチ操作であるか否かを判断する。つまり、ステップＳＢ６０では、信号処理部２８３は、相対座標モード領域において、所定時間継続する前にタッチ操作が解除されたか否かを判断する。そして、そうであると判断すると、ステップＳＢ６１へ処理を進める。一方、そうではない、つまり、それ以前のタッチ操作が絶対座標モード領域におけるものであったり、または、相対座標モード領域における上記所定時間を越えたタッチ操作であったと判断すると、ステップＳＢ６２へ処理を進める。
【０２４６】
ステップＳＢ６１では、信号処理部２８３は、相対座標モード領域において、クリック操作がなされた旨の情報（以下、「タッチ情報」とも呼ぶ）を第１ユニット１００１へ送信して、ステップＳＢ６２へ処理を進める。
【０２４７】
ステップＳＢ６２では、信号処理部２８３は、当該信号処理部２８３内の記憶装置に記憶された前回タッチ位置情報をクリアして、ステップＳＢ１０へ処理を戻す。前回タッチ位置情報とは、後述するステップＳＢ１３０で更新される情報であり、その時点での部分画像の中心座標である。
【０２４８】
ステップＳＢ７０では、ステップＳＢ４０でタッチ操作があったと判断した中心座標が、ステップＳＢ３０で更新した絶対座標モード領域の範囲内であるか否かを判断し、そうであると判断するとステップＳＢ８０へ処理を進め、そうではないと判断するとステップＳＢ９０へ処理を進める。
【０２４９】
ステップＳＢ８０では、信号処理部２８３は、ステップＳＢ４０でタッチ操作があったと判断した部分画像の中心座標（絶対座標情報）を含む応答データ（図１４参照）を第１ユニット１００１へ送信して、ステップＳＢ１０へ処理を戻す。
【０２５０】
ステップＳＢ９０では、ステップＳＢ４０でタッチ操作があったと判断した座標が、ステップＳＢ３０で更新した相対座標モード領域に含まれるか否かを判断し、そうであると判断するとステップＳＢ１００（図２２参照）へ処理を進め、そうではないと判断するとステップＳＢ１０へ処理を戻す。
【０２５１】
図２２を参照して、ステップＳＢ１００では、信号処理部２８３は、現時点で前回タッチ位置情報として情報が記憶されているか否かを判断し、記憶されていると判断するとステップＳＢ１１０へ処理を進め、ステップＳＢ６２でクリアされたままで情報の記憶がない場合には、ステップＳＢ１３０へ処理を進める。
【０２５２】
ステップＳＢ１１０では、ステップＳＢ４０でタッチ操作があったと判断したタッチ操作についての部分画像の中心座標（現在のタッチ位置情報）と記憶装置に記憶されている前回のタッチ位置情報の差分の座標値を算出して、ステップＳＢ１２０へ処理を進める。
【０２５３】
ステップＳＢ１２０では、信号処理部２８３は、ステップＳＢ１１０で算出した差分の座標値（差分座標情報）を第１ユニット１００１に送信して、ステップＳＢ１３０へ処理を進める。
【０２５４】
ステップＳＢ１３０では、信号処理部２８３は、記憶装置に既に記憶されている前回のタッチ位置情報を、現在のタッチ位置情報で更新して、ステップＳＢ１０へ処理を戻す。
【０２５５】
以上説明したサブ側制御処理では、信号処理部２８３が、ステップＳＢ１０で、ＣＰＵ１１０から上記の表示情報または領域情報の少なくとも一方を受信した後、これらの情報が更新されることなく相対座標モード領域をタッチし続けた場合には、ステップＳＢ１０からステップＳＢ２０へ処理を進められた後、ステップＳＢ２０およびステップＳＢ３０を経てステップＳＢ４０でタッチ操作がなされていることが判断されるため、ステップＳＢ７０へ処理が進められる。そして、タッチ操作が相対座標モード領域に対してなされているものであるため、ステップＳＢ９０からステップＳＢ１００へと処理が進められる。初回のステップＳＢ１００の処理では、前回タッチ位置情報が記憶されていないため、処理は、ステップＳＢ１３０を経て、ステップＳＢ１０に戻される。そして、表示情報および領域情報のいずれの更新もなければ、処理は、ステップＳＢ１０からステップＳＢ４０に進められる。相対座標モード領域におけるタッチ操作が継続されていれば、処理は、ステップＳＢ４０からステップＳＢ７０とステップＳＢ９０を経て、ステップＳＢ１００へ進められる。ここで、前回タッチ位置情報はすでに記憶されているため、ステップＳＢ１１０の処理を経て、ステップＳＢ１２０で差分座標情報が第１ユニット１００１へ送信された後、ステップＳＢ１０に処理が戻される。この後、相対座標モード領域へのタッチ操作が継続されている間は、ステップＳＢ１０〜ステップＳＢ４０、ステップＳＢ７０、ステップＳＢ９０、ステップＳＢ１００〜ステップＳＢ１３０、ステップＳＢ１０…、の処理が繰り返される。
【０２５６】
＜表示画面について＞
次に、上記したサブ画面制御処理およびサブ側制御処理が実行されることによって液晶パネル１４０および液晶パネル２４０に表示される内容の一例を説明する。
【０２５７】
図２３（Ａ）は、電子機器１００において実行されるアプリケーションの一例であるウェブページ閲覧アプリケーションの実行によって液晶パネル１４０に表示される画面の一例を示すものである。
【０２５８】
図２３（Ａ）では、画面１４０１には、ホームページの一例である「サンプルホームページＡ」とタイトルを付されたホームページの画面が表示されている。また、画面１４０１内には、ポインタ１４００が表示されている。ポインタ１４００は、操作キー１７７や、後述する相対座標モード領域２４２０に対して操作がなされることにより、その表示位置が変更される。
【０２５９】
図２３（Ｂ）は、液晶パネル２４０に表示される画面の一例を模式的に示す図である。
図２３（Ｂ）を参照して、画面２４０１は、主に、絶対座標モード領域２４１０と相対座標モード領域２４２０を含む。
【０２６０】
絶対座標モード領域２４１０には、上ボタン２４１１、下ボタン２４１２、テレビボタン２４１４、天気ボタン２４１５、および、スポーツボタン２４１６が表示されている。
【０２６１】
液晶パネル２４０において、相対座標モード領域２４２０として設定される位置・形状・大きさは、相対座標モード領域情報によって特定され、絶対座標モード領域２４１０として設定される領域の位置・形状・大きさは、絶対座標モード領域情報によって特定される。また、絶対座標モード領域２４１０内に表示される各種のボタン２４１１〜２４１６の位置や画像の種類は、ＣＰＵ１１０から送信される絶対座標モード領域情報によって特定される。具体的には、当該絶対座標モード領域情報には、各ボタンについての画像を表示するための第２コマンド（図９参照）が含まれる。
【０２６２】
電子機器１００において実行されているアプリケーションは、絶対座標モード領域２４１０に表示させるボタンとして、液晶パネル１４０に表示される画面１４０１の表示内容に連動したボタンを表示させるような絶対座標モード領域情報（第２コマンド）を第２ユニット１００２に送信することができる。これにより、絶対座標モード領域２４１０では、画面１４０１に表示されているメニューの一部である、「テレビ」「天気」「スポーツ」のそれぞれに対応するボタン２４１４〜２４１６が表示されている。ＣＰＵ１１０は、ボタン２４１４〜２４１６のいずれかに対して操作がなされ、その旨の情報を応答データ（図１４参照）として信号処理部２８３から送信されると、実行中のアプリケーションについて、操作されたボタンに対応した画面１４０１上のメニューが選択されたのと同じ処理を実行する。
【０２６３】
画面１４０１には、上記した「テレビ」「天気」「スポーツ」の３つのメニューの他に、「ニュース」「掲示板」というメニューも表示されている。アプリケーションは、絶対座標モード領域２４１０に、これらの複数のメニューの一部に対応したボタンを絶対座標モード領域２４１０に表示させることができ、かつ、上ボタン２４１１や下ボタン２４１２が操作されることにより、絶対座標モード領域２４１０に表示される、上記複数のメニューの中のメニューに対応するボタンの種類を変更することができる。
【０２６４】
具体的には、図２３（Ｂ）に示された状態から、下ボタン２４１２に対してタッチ操作がなされると、液晶パネル２４０の表示内容は、図２４（Ｃ）に示されるように変化する。
【０２６５】
図２４（Ａ）を参照して、絶対座標モード領域２４１０には、上ボタン２４１１と下ボタン２４１２の他に、「掲示板」「テレビ」「天気」のそれぞれのメニューに対応したボタン２４１３〜２４１５が表示されている。なお、図２４（Ａ）において、「スポーツ」「ニュース」のそれぞれのメニューに対応したボタンであるボタン２４１６，２４１７は、参考として示されているのであって、絶対座標モード領域２４１０内に表示されているものではない。
【０２６６】
絶対座標モード領域２４１０に表示されるボタンとしては、図２４に示されるように配列されたボタン２４１３〜２４１７の中から、上ボタン２４１１または下ボタン２４１２を操作されることに応じて、３つのボタンが選択されて、絶対座標モード領域２４１０に表示される。
【０２６７】
たとえば、図２４（Ａ）に表示されている状態から、下ボタン２４１２が１回タッチ操作されると、絶対座標モード領域２４１０に表示されるボタンは、２４１４〜２４１６に変更される。
【０２６８】
図２４（Ｂ）に示される状態から、さらに、下ボタン２４１２が１回操作されると、絶対座標モード領域２４１０に表示されるボタンは、図２４（Ｃ）に示されるように、ボタン２４１５〜２４１７とされる。
【０２６９】
このように、上ボタン２４１１または下ボタン２４１２に対する操作に応じて、絶対座標モード領域２４１０に表示されるボタン種類が選択されるような液晶パネル２４０の制御態様は、ＣＰＵ１１０が、まず絶対座標モード領域２４１０に、５つのボタンの中から予め定められた３つのボタンを表示するための情報（第２コマンド）を第２ユニット１００２に送信し、その後、本体装置１０１からの第１コマンドに応じて送信される応答データの一種である、上ボタン２４１１または下ボタン２４１２の表示位置が中心座標（図８の部分画像の中心座標）として第１ユニット１００１に送信され、ＣＰＵ１１０は、当該応答データの解析結果として、図２４（Ｂ）や図２４（Ｃ）に示されるように、絶対座標モード領域２４１０に表示させるボタンの種類を変更するような表示情報（第２コマンド）を第２ユニット１００２に送信するという、一連の情報の送受信によって実現される。
【０２７０】
なお、ＣＰＵ１１０は、アプリケーションの起動時に表示情報として第２ユニット１００２に送信する表示情報として、ボタン２４１３〜２４１７のすべてのボタンを表示するための情報（表示する画像データ等）を第２ユニット１００２に送信し、信号処理部２８３が、上ボタン２４１１および下ボタン２４１２に対する操作に応じて、５つのボタン２４１３〜２４１７の中から絶対座標モード領域２４１０に表示させる３つのボタンを選択する制御を実行してもよい。
【０２７１】
相対座標モード領域２４２０は、従来のタッチパッドのように、液晶パネル１４０に表示されるポインタ１４００の表示位置を移動させるための、指やスタイラスなどによるなぞる操作を検出するための領域である。なお、図２１のステップＳＢ６０〜ステップＳＢ６１の処理として説明したように、電子機器１００では、相対座標モード領域２４２０に対するクリック操作が検出され、当該操作がなされたことが、応答データとして表示装置１０３から第１ユニット１００１に送信される。これにより、ＣＰＵ１１０は、その時点でのポインタ１４００の表示位置においてクリック操作がなされたものとして、アプリケーションを実行する。
【０２７２】
＜表示内容の変形例について＞
以上説明したように、電子機器１００では、液晶パネル２４０では、電子機器１００で実行されているアプリケーションの内容に対応した、絶対座標モード領域２４１０と相対座標モード領域２４２０を含む画面２４０１が表示される。
【０２７３】
なお、液晶パネル２４０に表示される絶対座標モード領域や相対座標モード領域の大きさや範囲は、電子機器１００において実行されるアプリケーションの種類に応じて変更される場合がある。
【０２７４】
図２５に、図２３を参照して説明したものとは別のアプリケーションが電子機器１００において実行されている場合の液晶パネル１４０および液晶パネル２４０の表示内容を示す。
【０２７５】
図２５（Ａ）は、液晶パネル１４０に表示される画面の一例である画面１４０２が示されている。
【０２７６】
画面１４０２は、ゲームのアプリケーションについての表示画面であり、その上方にはゲームのタイトルが表示され、または、電子機器１００の操作者のゲームの状態を示す画面１４０３と対戦相手のゲームの状態を示す画面１４０４を含む。また、画面１４０２には、ポインタ１４００が表示されている。
【０２７７】
図２５（Ｂ）は、液晶パネル２４０に表示される画面の一例である画面２４０２が示されている。
【０２７８】
画面２４０２は、絶対座標モード領域２４３０と相対座標モード領域２４４０を含む。液晶パネル２４０に表示される画面における絶対座標モード領域と相対座標モード領域の大きさの割合は、アプリケーションごとに変更することができる。このことから、絶対座標モード領域２４３０と相対座標モード領域２４４０の割合は、図２３（Ｂ）に示される絶対座標モード領域２４１０と相対座標モード領域２４２０の大きさの割合とは変更されている。
【０２７９】
図２５（Ｂ）に表示される画面２４０２の相対座標モード領域２４４０の機能は、図２３（Ｂ）の相対座標モード領域２４２０と同様のものである。
【０２８０】
絶対座標モード領域２４３０には、手書きの文字や図形を入力するための手書きパッド領域２４３１と、手書きパッド領域２４３１に入力された情報をクリアするためのボタン２４３３と、手書きパッド領域２４３１に表示されている画像情報を絶対座標情報として信号処理部２８３から第１ユニット１００１へ送信させるために操作されるボタン２４３４とが表示されている。手書きパッド領域２４３１内には、当該領域に対して操作が開始されてからボタン２４３３またはボタン２４３４が操作されるまでの間の操作位置の軌跡が表示され、さらに、現在の操作位置をペン先の位置として示すペン形状の画像２４３２が表示されている。画像２４３２は、必ずしも表示されなくともよい。
【０２８１】
図２５を参照して説明したアプリケーションが実行されているときには、基本的に図２０を参照して説明したサブ画面制御処理や図２１および図２２を参照して説明したサブ側制御処理が実行される。なお、このアプリケーションの実行に際しては、サブ側制御処理が、絶対座標情報の送信に関し変更される。
【０２８２】
具体的には、図２１を参照して説明したサーバ側制御処理では、ステップＳＢ８０の処理により、絶対座標情報は、逐次的に送信されていた。一方、図２５を参照して説明したアプリケーションでは、絶対座標情報は、手書きパッド領域２４３１に対して操作が開始されてから（ボタン２４３３に対して操作がなされた場合にはその後手書きパッド領域２４３１に対して操作が開始されてから）、ボタン２４３４が操作されるまでの、手書きパッド領域２４３１に対する操作位置の軌跡を記憶しておき、そして、ボタン２４３４に対する操作がなされたことを条件として、絶対座標情報として、当該蓄積された手書きパッド領域２４３１の操作位置の軌跡の情報が第１ユニット１００１へと送信される。
【０２８３】
＜処理内容の変形例について＞
図２０を参照して説明したサブ画面制御処理では、表示装置１０３に対して、表示情報とともに相対座標モード領域情報や絶対座標モード領域情報が送信されていた。
【０２８４】
なお、信号処理部２８３の記憶装置には、アプリケーションごとに表示情報や相対座標モード領域情報や絶対座標モード領域情報を記憶させておくことができる。これにより、第１ユニットから、実行するアプリケーションの種類を特定する情報を送信されるだけで、信号処理部２８３は、液晶パネル２４０に図２３（Ｂ）の画面２４０１や図２５（Ｂ）の画面２４０２のようなアプリケーションの種類に応じた画面を表示させることができる。
【０２８５】
このような場合、図２０に示されたサブ画面制御処理のフローチャートは、たとえば図２６に示されるように変更され、また、図２１に示されたサブ側制御処理のフローチャートは、たとえば図２７に示すように変更される。
【０２８６】
図２６を参照して、このサブ画面制御処理の変形例では、ＣＰＵ１１０は、ステップＳＡ１０で初期設定を読込んだ後、ステップＳＡ２１で、実行するアプリケーションを特定する情報（アプリケーション特定情報）を、（図２０のステップＳＡ２０〜ステップＳＡ４０の処理の代わりに）送信する。
【０２８７】
また、図２７に示されるサブ側制御処理の変形例では、信号処理部２８３は、図２６のステップＳＢ１０の処理の代わりに、ステップＳＢ１１で、アプリケーション特定情報を受信するまで待機し、受信したと判断するとステップＳＢ１２へ処理を進める。
【０２８８】
そして、信号処理部２８３は、ステップＳＢ１２において、受信したアプリケーション特定情報に関連付けられて当該信号処理部２８３内の記憶装置に記憶されている表示情報および相対座標モード領域情報と絶対座標モード領域情報とを読込む。
【０２８９】
そして、ステップＳＢ２０で、信号処理部２８３は、ステップＳＢ２０およびステップＳＢ３０において、ステップＳＢ１２で読込んだ表示情報および相対座標モード領域情報と絶対座標モード領域情報に基づいて、液晶パネル２４０の表示内容を更新させる。
【０２９０】
＜電子機器の構成の変形例＞
液晶パネル２４０を含む表示装置１０３は、電子機器１００に搭載されていても良いし、電子機器に対して着脱可能に構成されていても良い。
【０２９１】
図２８に、図２に示した電子機器１００の構成の中の、少なくとも第２ユニット１００２の構成を含む情報処理端末９００１と、表示装置１０２に構成を含む電子機器１００Ｅとによって構成される情報処理システム９０００を示す。
【０２９２】
情報処理端末９００１は、たとえば、電子機器１００Ｅに設けられた凹部１００Ｄにはめ込まれるよう構成されている。
【０２９３】
凹部１００ＤにＵＳＢコネクタ１９４が設けられ、情報処理端末９００１は、凹部１００Ｄにはめ込まれることによりＵＳＢコネクタ２９４がＵＳＢコネクタ１９４と接続され、これにより、電子機器１００Ｅから電力の供給を受けるように構成されていても良い。
【０２９４】
また、情報処理端末９００１は、内部の各構成要素に電力を供給するための蓄電池等の電源を備えていても良い。
【０２９５】
また、情報処理端末９００１は、通話機能等、種々の機能を備えることもできる。
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０２９６】
【図１】本実施の形態に係る電子機器の外観を示す概略図である。
【図２】電子機器のハードウェア構成を表わすブロック図である。
【図３】液晶パネルの構成と当該液晶パネルの周辺回路とを示した図である。
【図４】液晶パネルとバックライトとの断面図である。
【図５】光センサ回路を動作させる際のタイミングチャートを示した図である。
【図６】スキャンの際にフォトダイオードがバックライトからの光を受光する構成を示した断面図である。
【図７】コマンドの概略構成を示した図である。
【図８】種別「０００」のコマンドを説明するための図である。
【図９】種別「００１」のコマンドを説明するための図である。
【図１０】種別「０１０」のコマンドを説明するための図である。
【図１１】種別「０１１」のコマンドを説明するための図である。
【図１２】種別「１００」のコマンドを説明するための図である。
【図１３】種別「１０１」のコマンドを説明するための図である。
【図１４】応答データの概略構成を示した図である。
【図１５】指をスキャンすることにより得られた画像（スキャン画像）を示した図である。
【図１６】図３の変形例である液晶パネルの回路図である。
【図１７】スキャンの際にフォトダイオードが外光を受光する構成を示した断面図である。
【図１８】電子機器の変形例のハードウェア構成を表すブロック図である。
【図１９】図８の種別「０００」のコマンドの変形例を説明するための図である。
【図２０】図２の第１ユニットのＣＰＵが実行するサブ画面制御処理のフローチャートである。
【図２１】図２の第２ユニットの信号処理部が実行するサブ画面制御処理のフローチャートである。
【図２２】図２の第２ユニットの信号処理部が実行するサブ側制御処理のフローチャートである。
【図２３】図２の第１ユニットおよび第２ユニットの液晶パネルの表示画面の一例を示す図である。
【図２４】図２３（Ｂ）の表示画面の変更について説明するための図である。
【図２５】図２の第１ユニットおよび第２のユニットの液晶パネルの表示画面の他の例を示す図である。
【図２６】図２０のサブ画面制御処理の変形例のフローチャートである。
【図２７】図２１のサブ側制御処理のフローチャートの変形例を示す図である。
【図２８】本発明の一実施の形態である電子機器と情報処理端末の一例からなる情報処理システムの外観を示す概略図である。
【符号の説明】
【０２９７】
１００，１００Ｅ  電子機器、１００Ａ，１００Ｂ  筐体、１００Ｃ  ヒンジ、１００Ｄ  凹部、１０１，１０４  本体装置、１０２，１０２Ａ，１０３  表示装置、１３０，２３０  ドライバ、１３１  操作信号線駆動回路、１３２  データ信号線駆動回路、１３３  光センサ駆動回路、１３４  スイッチ、１３５  アンプ、１４０，１４０Ａ，２４０  液晶パネル、１４１  画素回路、１４１ｂ，１４１ｇ，１４１ｒ  サブピクセル回路、１４３  電極対、１４３ａ  画素電極、１４３ｂ  対向電極、１４４  光センサ回路、１４５，１４５ｂ，１４５ｇ，１４５ｒ  フォトダイオード、１４６  コンデンサ、１５１Ａ  アクティブマトリックス基板、１５１Ｂ  対向基板、１５２  液晶層、１５３ｂ，１５３ｇ，１５３ｒ  カラーフィルタ、１５７  データ信号線、１６１  偏光フィルタ、１６２  ガラス基板、１６３  遮光膜、１６４  配向膜、１７３  メモリカードリーダライタ、１７４，２７４  外部通信部、１７５  マイク、１７６  スピーカ、１７７  操作キー、１７９，２７９  バックライト、１８０，２８０  画像処理エンジン、１８１，２８１  ドライバ制御部、１８２，２８２  タイマ、１８３，２８３  信号処理部、１９１  電源スイッチ、１９２  電源回路、１９３，２９３  電源検出部、１９４，２９４  コネクタ、１９５，２９５  アンテナ、１９６  コネクタ、２９７  信号強度検出部、９００  指、１００１，１００１Ａ  第１ユニット、１００２  第２ユニット、１３００  電子機器、１４００  ポインタ、１４０１〜１４０４，２４０１，２４０２  画面、１７３１  メモリカード、２４１０，２４３０  絶対座標モード領域、２４０２，２４４０  相対座標モード領域、２４１１〜２４１７，２４３３，２４３４  ボタン、２４３１  手書きパッド、２４３２  画像、９０００  情報処理システム、９００１  情報処理端末、ＤＡ０１  ヘッダ、ＤＡ０２  第１フィールド、ＤＡ０３  第２フィールド、ＤＡ０４  第３フィールド、ＤＡ０５  第４フィールド、ＤＡ０６  第５フィールド、ＤＡ０７  予備のデータ領域、ＤＡ１１〜ＤＡ１４  データ領域。
【図１】
2010108373.tif 000003
【図２】
2010108373.tif 000004
【図３】
2010108373.tif 000005
【図４】
2010108373.tif 000006
【図５】
2010108373.tif 000007
【図６】
2010108373.tif 000008
【図７】
2010108373.tif 000009
【図８】
2010108373.tif 000010
【図９】
2010108373.tif 000011
【図１０】
2010108373.tif 000012
【図１１】
2010108373.tif 000013
【図１２】
2010108373.tif 000014
【図１３】
2010108373.tif 000015
【図１４】
2010108373.tif 000016
【図１５】
2010108373.tif 000017
【図１６】
2010108373.tif 000018
【図１７】
2010108373.tif 000019
【図１８】
2010108373.tif 000020
【図１９】
2010108373.tif 000021
【図２０】
2010108373.tif 000022
【図２１】
2010108373.tif 000023
【図２２】
2010108373.tif 000024
【図２３】
2010108373.tif 000025
【図２４】
2010108373.tif 000026
【図２５】
2010108373.tif 000027
【図２６】
2010108373.tif 000028
【図２７】
2010108373.tif 000029
【図２８】
2010108373.tif 000030